(57)【要約】  本開示の実施例は、伝送モード決定方法及び機器を提供する。ここで、該方法において、ユーザ機器の所望伝送モードを指示するための変更情報をネットワーク側機器に送信することを含む。
2021519023.tif 000002
【特許請求の範囲】
【請求項１】
ユーザ機器に応用される伝送モード決定方法において、
前記ユーザ機器の所望伝送モードを指示するための変更情報をネットワーク側機器に送信することを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、伝送モード決定方法。
【請求項２】
変更情報をネットワーク側機器に送信した後に、
前記ネットワーク側機器から送信されたフィードバック情報を受信することと、
現在の伝送モードを、前記フィードバック情報によって指示される伝送モードにセットすることと、
を更に含む、請求項１に記載の方法。
【請求項３】
前記フィードバック情報は、前記所望伝送モードに同意するか否かを指示することに用いられ、又は、
前記フィードバック情報は、目標伝送モードを指示することに用いられる、請求項２に記載の方法。
【請求項４】
前記の現在の伝送モードを、前記フィードバック情報によって指示される伝送モードにセットすることは、
前記フィードバック情報が前記所望伝送モードに同意すると指示する場合、現在の伝送モードを前記所望伝送モードにセットすることと、
前記フィードバック情報が前記所望伝送モードに同意しないと指示する場合、現在の伝送モードそのままにすることと、
前記フィードバック情報が目標伝送モードを指示する場合、現在の伝送モードを前記目標伝送モードにセットすることと、
を含む、請求項３に記載の方法。
【請求項５】
変更情報をネットワーク側機器に送信する前に、
前記所望伝送モードを伝送モード影響要素に基づいて決定することを更に含む、請求項１に記載の方法。
【請求項６】
前記フィードバック情報を受信した後に、前記フィードバック情報によって指示される伝送モードに基づいて、チャネル関連パラメータを前記ネットワーク側機器に報告することを更に含み、
ここで、前記チャネル関連パラメータは、パラメータであるチャネル品質指示ＣＱＩ、ランク指示ＲＩ、プリコーディング行列指示ＰＭＩ、及びレイヤ指示ＬＩの少なくとも１つを含む、請求項２に記載の方法。
【請求項７】
現在の伝送モードを、前記フィードバック情報によって指示される伝送モードにセットした後に、
前記ネットワーク側機器から送信されたスケジューリングシグナリングに対応する伝送モードが、前記フィードバック情報によって指示される伝送モードと異なる場合、前記ネットワーク側機器から送信されたスケジューリングシグナリングを無視することを更に含み、
ここで、前記スケジューリングシグナリングは、下りデータをスケーリングするシグナリング又は上りデータをスケーリングするシグナリングを含む、請求項２に記載の方法。
【請求項８】
前記伝送モード影響要素は、ユーザ機器の余剰電力量、ユーザ機器の発熱指標、上りトラフィックの属性、下りトラフィックの属性の少なくとも１つを含む、請求項５に記載の方法。
【請求項９】
前記所望伝送モードは、サービングセルに関連付けられ、又は、サービングセルの目標帯域幅部分ＢＷＰに関連付けられる、請求項１〜８のいずれか一項に記載の方法。
【請求項１０】
ユーザ機器の余剰電力量、ユーザ機器の発熱指標、上りトラフィックの属性、下りトラフィックの属性の少なくとも１つをネットワーク側機器に送信することを更に含む、請求項１に記載の方法。
【請求項１１】
前記フィードバック情報は、物理レイヤシグナリング、媒体アクセス制御ＭＡＣシグナリング、無線リソース制御ＲＲＣシグナリング、及びウェイクアップ信号ＷＵＳのいずれかによって送信される、請求項２に記載の方法。
【請求項１２】
前記の現在の伝送モードを、前記フィードバック情報によって指示される伝送モードにセットすることは、
前記フィードバック情報がウェイクアップ信号によって送信される場合、前記ウェイクアップ信号の関連情報、及び、ウェイクアップ信号の関連情報と伝送モードとの対応関係を含む所定の対応関係に基づいて、前記フィードバック情報によって指示される伝送モードを決定することと、
現在の伝送モードを、前記フィードバック情報によって指示される伝送モードにセットすることと、
を含む、請求項１１に記載の方法。
【請求項１３】
前記ウェイクアップ信号の関連情報は、前記ウェイクアップ信号の系列の直交カバーコード、前記ウェイクアップ信号の系列のサイクリックシフト、前記ウェイクアップ信号の系列のルート系列、前記ウェイクアップ信号の系列のスクランブル系列の少なくとも１つを含む、請求項１２に記載の方法。
【請求項１４】
ユーザ機器に応用される伝送モード決定方法において、
ネットワーク側機器から送信された目標伝送モードを受信することと、
現在の伝送モードを前記目標伝送モードにセットすることと、
を含む、伝送モード決定方法。
【請求項１５】
前記目標伝送モードに基づいて、チャネル関連パラメータを前記ネットワーク側機器に報告することを更に含み、
ここで、前記チャネル関連パラメータは、パラメータであるチャネル品質指示ＣＱＩ、ランク指示ＲＩ、プリコーディング行列指示ＰＭＩ、及びレイヤ指示ＬＩの少なくとも１つを含む、請求項１４に記載の方法。
【請求項１６】
前記ネットワーク側機器から送信されたスケジューリングシグナリングに対応する伝送モードが、前記目標伝送モードと異なる場合、前記ネットワーク側機器から送信されたスケジューリングシグナリングを無視することを更に含み、
ここで、前記スケジューリングシグナリングは、下りデータをスケーリングするシグナリング又は上りデータをスケーリングするシグナリングを含む、請求項１４に記載の方法。
【請求項１７】
前記目標伝送モードは、物理レイヤシグナリング、媒体アクセス制御ＭＡＣシグナリング、無線リソース制御ＲＲＣシグナリング、及びウェイクアップ信号ＷＵＳのいずれかによって送信される、請求項１４〜１６のいずれか一項に記載の方法。
【請求項１８】
前記目標伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、請求項１４に記載の方法。
【請求項１９】
ネットワーク側機器に応用される伝送モード決定方法において、
ユーザ機器から、前記ユーザ機器の所望伝送モードを指示するための変更情報を受信することを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、伝送モード決定方法。
【請求項２０】
ユーザ機器から変更情報を受信した後に、
前記変更情報に基づいてフィードバック情報を決定することと、
前記フィードバック情報を、前記ユーザ機器が現在の伝送モードを前記フィードバック情報によって指示される伝送モードにセットするように、前記ユーザ機器に送信することとを更に含む、請求項１９に記載の方法。
【請求項２１】
前記フィードバック情報は、前記所望伝送モードに同意するか否かを指示することに用いられ、又は、
前記フィードバック情報は、目標伝送モードを指示することに用いられる、請求項２０に記載の方法。
【請求項２２】
前記の前記変更情報に基づいてフィードバック情報を決定することは、
前記変更情報と伝送モード影響要素に基づいて前記フィードバック情報を決定することを含む、請求項２０に記載の方法。
【請求項２３】
前記伝送モード影響要素は、ユーザ機器の余剰電力量、ユーザ機器の発熱指標、上りトラフィックの属性、下りトラフィックの属性の少なくとも１つを含む、請求項２２に記載の方法。
【請求項２４】
前記所望伝送モードは、サービングセルに関連付けられ、又は、サービングセルの目標帯域幅部分ＢＷＰに関連付けられる、請求項２０〜２３のいずれか一項に記載の方法。
【請求項２５】
ユーザ機器の余剰電力量、ユーザ機器の発熱指標、上りトラフィックの属性、下りトラフィックの属性の少なくとも１つをユーザ機器から受信することを更に含む、請求項２０に記載の方法。
【請求項２６】
前記フィードバック情報は、物理レイヤシグナリング、媒体アクセス制御ＭＡＣシグナリング、無線リソース制御ＲＲＣシグナリング、及びウェイクアップ信号ＷＵＳのいずれかによって送信される、請求項２０に記載の方法。
【請求項２７】
前記フィードバック情報がウェイクアップ信号によって送信される場合、前記ウェイクアップ信号の関連情報と伝送モードとは所定の対応関係を有し、それによって、前記フィードバック情報によって指示される伝送モードを、ユーザ端末が前記ウェイクアップ信号の関連情報と所定の対応関係に基づいて決定する、請求項２６に記載の方法。
【請求項２８】
前記ウェイクアップ信号の関連情報は、前記ウェイクアップ信号の系列の直交カバーコード、前記ウェイクアップ信号の系列のサイクリックシフト、前記ウェイクアップ信号の系列のルート系列、前記ウェイクアップ信号の系列のスクランブル系列の少なくとも１つを含む、請求項２７に記載の方法。
【請求項２９】
ネットワーク側機器に応用される伝送モード決定方法において、
ユーザ機器に目標伝送モードを送信することによって、前記ユーザ機器が現在の伝送モードを前記目標伝送モードにセットするようにすることを含む、伝送モード決定方法。
【請求項３０】
ユーザ機器に目標伝送モードを送信する前に、
伝送モード影響要素に基づいて目標伝送モードを決定することを更に含む、請求項２９に記載の方法。
【請求項３１】
前記目標伝送モードは、物理レイヤシグナリング、媒体アクセス制御ＭＡＣシグナリング、無線リソース制御ＲＲＣシグナリング、及びウェイクアップ信号ＷＵＳのいずれかによって送信される、請求項３０に記載の方法。
【請求項３２】
前記目標伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、請求項２９に記載の方法。
【請求項３３】
ユーザ機器であって、
前記ユーザ機器の所望伝送モードを指示するための変更情報をネットワーク側機器に送信する第１送信モジュールを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、ユーザ機器。
【請求項３４】
ユーザ機器であって、
ネットワーク側機器から送信された目標伝送モードを受信する第１受信モジュールと、
現在の伝送モードを前記目標伝送モードにセットする伝送モードセットモジュールと、
を含む、ユーザ機器。
【請求項３５】
前記目標伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、請求項３４に記載のユーザ機器。
【請求項３６】
ネットワーク側機器であって、
ユーザ機器から、前記ユーザ機器の所望伝送モードを指示するための変更情報を受信する第２受信モジュールを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、ネットワーク側機器。
【請求項３７】
ネットワーク側機器であって、
ユーザ機器に目標伝送モードを送信することによって、前記ユーザ機器が現在の伝送モードを前記目標伝送モードにセットするようにする第２送信モジュールを含む、ネットワーク側機器。
【請求項３８】
前記目標伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、請求項３７に記載のネットワーク側機器。
【請求項３９】
メモリと、プロセッサと、前記メモリに格納されて前記プロセッサで動作可能なコンピュータプログラムを含むユーザ機器であって、
前記コンピュータプログラムが前記プロセッサによって実行されると、請求項１〜１３のいずれか一項に記載の方法が実現される、ユーザ機器。
【請求項４０】
メモリと、プロセッサと、前記メモリに格納されて前記プロセッサで動作可能なコンピュータプログラムを含むユーザ機器であって、
前記コンピュータプログラムが前記プロセッサによって実行されると、請求項１４〜１８のいずれか一項に記載の方法が実現される、ユーザ機器。
【請求項４１】
メモリと、プロセッサと、前記メモリに格納されて前記プロセッサで動作可能なコンピュータプログラムを含むネットワーク側機器であって、
前記コンピュータプログラムが前記プロセッサによって実行されると、請求項１９〜２８のいずれか一項に記載の方法が実現される、ネットワーク側機器。
【請求項４２】
メモリと、プロセッサと、前記メモリに格納されて前記プロセッサで動作可能なコンピュータプログラムを含むネットワーク側機器であって、
前記コンピュータプログラムが前記プロセッサによって実行されると、請求項２９〜３２のいずれか一項に記載の方法が実現される、ネットワーク側機器。
【請求項４３】
コンピュータプログラムが格納されているコンピュータ読み取り可能な記憶媒体であって、
前記コンピュータプログラムがプロセッサによって実行されると、請求項１〜１３のいずれか一項に記載の方法が実現され、又は、前記コンピュータプログラムがプロセッサによって実行されると、請求項１４〜１８のいずれか一項に記載の方法が実現され、又は、前記コンピュータプログラムがプロセッサによって実行されると、請求項１９〜２８のいずれか一項に記載の方法が実現され、又は、前記コンピュータプログラムがプロセッサによって実行されると、請求項２９〜３２のいずれか一項に記載の方法が実現される、コンピュータ読み取り可能な記憶媒体。
【発明の詳細な説明】
【技術分野】
【０００１】
本願は、２０１８年３月３０日に中国特許庁に提出された中国特許出願２０１８１０２７６３７７．８の優先権を主張し、その全ての内容が援用によりここに取り込まれる。
【０００２】
本開示は、移動通信分野に係り、特に伝送モード決定方法及び機器に係る。
【背景技術】
【０００３】
現在、移動通信技術の急速な発展に伴い、５Ｇ（ｆｉｆｔｈ−ｇｅｎｅｒａｔｉｏｎ）の移動通信システムは、より多様なシーン及びトラフィック要求に対応することができる。そのため、５Ｇシステムは、ますます広く応用されている。そのうち、５Ｇシステムにおいて、ユーザ機器ＵＥ（ｕｓｅｒ  ｅｑｕｉｐｍｅｎｔ）は、異なる応用シーンについて、異なる数値設定のトラフィックをサポートする可能性がある。例えば、ＵＥは、ＵＲＬＬＣの低時間遅延高信頼性トラフィックをサポートすると同時に、大容量高レートのｅＭＢＢトラフィックもサポートする。
【０００４】
複数のタイプのトラフィックをサポートするユーザ機器については、システムのデータ伝送性能を保証するために、５Ｇシステムにおいて、ユーザ機器が所定の周波数レンジで動作する場合に受信アンテナ数４又は送信アンテナ数２をサポートしなければならないことが求められる。下り情報が小パケットである場合、２アンテナ受信方式を採用することで、トラフィックのＱｏＳ（Ｑｕａｌｉｔｙ  ｏｆ  Ｓｅｒｖｉｃｅ）要求を満たすことができるが、ユーザ機器が４アンテナのままで下り情報を受信すると、ユーザ機器に無駄な電力を費やしてしまい、ユーザ機器の省電力化に不利である。同様に、上り情報が小パケットである場合、１アンテナ送信方式を採用することでトラフィックのＱｏＳ要求を満たすことができるが、ユーザ機器が２アンテナのままで上り情報を送信すると、ユーザ機器に無駄な電力を費やしてしまい、同様にユーザ機器の省電力化に不利である。
【０００５】
現在、ユーザ機器が無駄な電力を消費することを低減するために、ユーザ機器は、自身の実際のニーズに応じて、伝送モードの変更を直接的に行い、例えば、実際に使用する受信アンテナ数を変更し、すなわち、受信アンテナ数を４から２に変更する。このとき、ネットワーク側機器の下りスケジューリングにおいて４アンテナで下り情報を受信する必要があるのに対し、ユーザ機器が２アンテナ受信方式ではトラフィックのＱｏＳ要求を満たすことができない場合、下りシステムの性能低下、例えば、システムＢＬＥＲの増大を招く。
【０００６】
このように、５Ｇシステムにおいて、ユーザ機器が４アンテナ受信又は２アンテナ送信の伝送モードを維持し続けると、ユーザ機器に無駄な電力が消費され、ユーザ機器の省電力化に不利になる。また、ユーザ機器が自発的に転送モードを変更すると、システムのデータ転送性能が低下する可能性がある。
【発明の概要】
【発明が解決しようとする課題】
【０００７】
本開示の実施例の目的は、伝送モード決定方法及び機器を提供することによって、ユーザ機器の伝送モードを精確に変更し、ユーザ機器が無駄な電力を消費することを減少して省エネ・節電の効果を達成するとともに、システムのデータ伝送性能を保証することである。
【課題を解決するための手段】
【０００８】
第１態様として、本開示の実施例は、伝送モード決定方法を提供する。
ユーザ機器に応用される伝送モード決定方法において、
前記ユーザ機器の所望伝送モードを指示するための変更情報をネットワーク側機器に送信することを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【０００９】
第２態様として、本開示の実施例は、伝送モード決定方法を提供する。
ユーザ機器に応用される伝送モード決定方法において、
ネットワーク側機器から送信された目標伝送モードを受信することと、
現在の伝送モードを前記目標伝送モードにセットすることと、
を含む。
【００１０】
第３態様として、本開示の実施例は、伝送モード決定方法を提供する。
ネットワーク側機器に応用される伝送モード決定方法において、
ユーザ機器から、前記ユーザ機器の所望伝送モードを指示するための変更情報を受信することを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【００１１】
第４態様として、本開示の実施例は、伝送モード決定方法を提供する。
ネットワーク側機器に応用される伝送モード決定方法において、
ユーザ機器に目標伝送モードを送信することによって、前記ユーザ機器が現在の伝送モードを前記目標伝送モードにセットするようにすることを含む。
【００１２】
第５態様として、本開示の実施例は、ユーザ機器を提供する。
ユーザ機器において、
前記ユーザ機器の所望伝送モードを指示するための変更情報をネットワーク側機器に送信する第１送信モジュールを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【００１３】
第６態様として、本開示の実施例は、ユーザ機器を提供する。
ユーザ機器において、
ネットワーク側機器から送信された目標伝送モードを受信する第１受信モジュールと、
現在の伝送モードを前記目標伝送モードにセットする伝送モードセットモジュールと、
を含む。
【００１４】
第７態様として、本開示の実施例は、ネットワーク側機器を提供する。
ネットワーク側機器において、
ユーザ機器から、前記ユーザ機器の所望伝送モードを指示するための変更情報を受信する第２受信モジュールを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【００１５】
第８態様として、本開示の実施例は、ネットワーク側機器を提供する。
ネットワーク側機器において、
ユーザ機器に目標伝送モードを送信することによって、前記ユーザ機器が現在の伝送モードを前記目標伝送モードにセットするようにする第２送信モジュールを含む。
【００１６】
第９態様として、本開示の実施例は、ユーザ機器を提供する。
メモリと、プロセッサと、前記メモリに格納されて前記プロセッサで動作可能なコンピュータプログラムを含むユーザ機器において、
前記コンピュータプログラムが前記プロセッサによって実行されると、上記第１態様に記載の方法が実現される。
【００１７】
第１０態様として、本開示の実施例は、ユーザ機器を提供する。
メモリと、プロセッサと、前記メモリに格納されて前記プロセッサで動作可能なコンピュータプログラムを含むユーザ機器において、
前記コンピュータプログラムが前記プロセッサによって実行されると、上記第２態様に記載の方法が実現される。
【００１８】
第１１態様として、本開示の実施例は、ネットワーク側機器を提供する。
メモリと、プロセッサと、前記メモリに格納されて前記プロセッサで動作可能なコンピュータプログラムを含むネットワーク側機器において、
前記コンピュータプログラムが前記プロセッサによって実行されると、上記第３態様に記載の方法が実現される。
【００１９】
第１２態様として、本開示の実施例は、ネットワーク側機器を提供する。
メモリと、プロセッサと、前記メモリに格納されて前記プロセッサで動作可能なコンピュータプログラムを含むネットワーク側機器において、
前記コンピュータプログラムが前記プロセッサによって実行されると、上記第４態様に記載の方法が実現される。
【００２０】
第１３態様として、本開示の実施例は、記憶媒体を提供する。
コンピュータプログラムが格納されているコンピュータ読み取り可能な記憶媒体において、
前記コンピュータプログラムがプロセッサによって実行されると、上記第１態様に記載の方法が実現され、又は、前記コンピュータプログラムがプロセッサによって実行されると、上記第２態様に記載の方法が実現され、又は、前記コンピュータプログラムがプロセッサによって実行されると、上記第３態様に記載の方法が実現され、又は、前記コンピュータプログラムがプロセッサによって実行されると、上記第４態様に記載の方法が実現される。
【発明の効果】
【００２１】
本開示の実施例の伝送モード決定方法及び機器において、ユーザ機器の所望伝送モードを指示するための変更情報をネットワーク側機器に送信する。本開示の実施例において、伝送モードの変更を要求する変更情報をユーザ機器からネットワーク側機器に送信することによって、ネットワーク側機器は、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【００２２】
本開示の実施例や従来技術の技術手段をより明確に説明するために、以下、実施例や従来技術の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００２３】
【図１】本開示の１つの実施例に係るユーザ機器に応用される伝送モード決定方法のフローチャートである。
【図２】本開示の１つの実施例に係る伝送モード決定方法のフローチャートその１である。
【図３】本開示の１つの実施例に係る伝送モード決定方法のフローチャートその２である。
【図４】本開示の１つの実施例に係る伝送モード決定方法のフローチャートその３である。
【図５】本開示の別の実施例に係るユーザ機器に応用される伝送モード決定方法のフローチャートである。
【図６】本開示のまた別の実施例に係るネットワーク側機器に応用される伝送モード決定方法のフローチャートである。
【図７】本開示の更に別の実施例に係るネットワーク側機器に応用される伝送モード決定方法のフローチャートである。
【図８】本開示の実施例に係るユーザ機器のモジュール構成図その１である。
【図９】本開示の実施例に係るユーザ機器のモジュール構成図その２である。
【図１０】本開示の実施例に係るネットワーク側機器のモジュール構成図その１である。
【図１１】本開示の実施例に係るネットワーク側機器のモジュール構成図その２である。
【図１２】本開示の１つの実施例に係るネットワーク側機器の構造図である。
【図１３】本開示の１つの実施例に係るユーザ機器の構造図である。
【発明を実施するための最良の形態】
【００２４】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。明細書及び特許請求の範囲に使用される「及び／又は」は、連結対象の少なくとも１つを示す。
【００２５】
本開示の技術手段は、ＧＳＭシステム（Ｇｌｏｂａｌ  Ｓｙｓｔｅｍ  ｏｆ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）／ＬＴＥ−Ａ（Ｌｏｎｇ  Ｔｅｒｍ  Ｅｖｏｌｕｔｉｏｎ  ａｄｖａｎｃｅｄ）、ＮＲ（Ｎｅｗ  Ｒａｄｉｏ）など、様々な通信システムに応用可能である。
【００２６】
ユーザ機器ＵＥ（Ｕｓｅｒ  Ｅｑｕｉｐｍｅｎｔ）は、ユーザ側、移動端末（Ｍｏｂｉｌｅ  Ｔｅｒｍｉｎａｌ）、移動ユーザ機器などと称されてもよく、ＲＡＮ（Ｒａｄｉｏ  Ａｃｃｅｓｓ  Ｎｅｔｗｏｒｋ）を介して１つ又は複数のコアネットワークと通信可能である。ユーザ機器は、移動電話（又は「セルラー」電話と称される）などの移動端末や、携帯式、ポータブル式、ハンドヘルド式、コンピュータ内蔵式又は車載の移動装置など、移動端末を有するコンピュータであり、無線アクセスネットワークとは音声及び／又はデータのやり取りを行う。
【００２７】
ネットワーク側機器は、ユーザ機器との通信に用いられ、ＧＳＭ又はＣＤＭＡにおけるＢＴＳ（Ｂａｓｅ  Ｔｒａｎｓｃｅｉｖｅｒ  Ｓｔａｔｉｏｎ）であってもよく、ＷＣＤＭＡ（登録商標）における基地局（ＮｏｄｅＢ）であってもよく、更に、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよいが、本開示では限定せず、記載をしやすくするために、以下の実施例において、ｇＮＢを例として説明する。
【００２８】
本開示の実施例に係る英文の名称及びその意味は、例えば以下である。
帯域幅部分ＢＷＰ（Ｂａｎｄｗｉｄｔｈ  Ｐａｒｔ）
チャネル品質指示ＣＱＩ（Ｃｈａｎｎｅｌ  Ｑｕａｌｉｔｙ  Ｉｎｄｉｃａｔｏｒ）
ランク指示ＲＩ（Ｒａｎｋ  Ｉｎｄｉｃａｔｉｏｎ）
プリコーディング行列指示ＰＭＩ（Ｐｒｅｃｏｄｉｎｇ  Ｍａｔｒｉｘ  Ｉｎｄｉｃａｔｏｒ）
レイヤ指示ＬＩ（Ｌａｙｅｒ  Ｉｎｄｉｃａｔｉｏｎ）
マルチ入力マルチ出力ＭＩＭＯ（Ｍｕｌｔｉｐｌｅ−Ｉｎｐｕｔ  Ｍｕｌｔｉｐｌｅ−Ｏｕｔｐｕｔ）
下り制御情報ＤＣＩ（Ｄｏｗｎｌｉｎｋ  Ｃｏｎｔｒｏｌ  Ｉｎｆｏｒｍａｔｉｏｎ）
媒体アクセス制御エレメントＭＡＣ  ＣＥ（Ｍｅｄｉｕｍ  Ａｃｃｅｓｓ  Ｃｏｎｔｒｏｌ  ＣＥ）
無線リソース制御ＲＲＣ（Ｒａｄｉｏ  Ｒｅｓｏｕｒｃｅ  Ｃｏｎｔｒｏｌ）
ウェイクアップ信号ＷＵＳ（Ｗａｋｅ  Ｕｐ  Ｓｉｇｎａｌ）
変調符号化スキームＭＣＳ（Ｍｏｄｕｌａｔｉｏｎ  ａｎｄ  Ｃｏｄｉｎｇ  Ｓｃｈｅｍｅ）。
【００２９】
本開示の実施例は、伝送モード決定方法及び機器を提供する。本開示の実施例に係る伝送モード決定方法及び機器は、５Ｇシステムに適用可能であり、以下、実施例を通じて詳細に紹介する。
【００３０】
本開示の１つの実施例に係る伝送モード決定方法は、ユーザ機器に応用される。図１は、本開示の１つの実施例に係る伝送モード決定方法のフローチャートである。図１に示すように、該方法は、以下のステップを含む。
【００３１】
Ｓ１０１において、ユーザ機器の所望伝送モードを指示するための変更情報をネットワーク側機器に送信する。
ここで、上記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【００３２】
ここで、ユーザ機器は、伝送モードの変更が必要であると決定した場合、伝送モードの変更を要求する変更情報をネットワーク側機器に送信する。ここで、該変更情報は、所望伝送モードが搬送されない情報であってもよいし、所望伝送モードを指示するための情報であってもよく、即ち変更情報には、ユーザ機器によって決定された所望伝送モードが搬送される。具体的な実施において、ユーザ機器が希望する切り替え先の伝送モードをネットワーク側機器が迅速に決定することを保証するために、選択可能に、該変更情報は、ユーザ機器の所望伝送モードを指示し、且つ該所望伝送モードがユーザ機器の現在の伝送モードと異なる場合、ユーザ機器からネットワーク側機器に変更情報を送信する。
【００３３】
本開示の実施例において、伝送モードの変更を要求する変更情報をユーザ機器からネットワーク側機器に送信することによって、ネットワーク側機器は、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【００３４】
ここで、伝送モードは、サービングセルに関連付けられ、又は、サービングセルの目標帯域幅部分ＢＷＰに関連付けられる。具体的には、変更情報は、サービングセルに対する伝送モード又は特定の１つ又は複数の目標帯域幅部分ＢＷＰに対する伝送モードの変更を要求するものである。ここで、異なるＢＷＰの伝送モードは、異なってもよい。
【００３５】
受信アンテナポート数を例にとると、受信アンテナポート数は、２であってもよいし、４であってもよい。下りトラフィックのタイプによってデータ受信性能要件が高い場合、ネットワーク側機器から送信される下りデータをユーザ機器が４つの受信アンテナポートを利用して受信する必要があり（即ち、受信アンテナ数に関する伝送モードは、４つの受信アンテナポートである）、下りトラフィックのタイプによってデータ受信性能要件が低い場合、ネットワーク側機器から送信される下りデータをユーザ機器が２つの受信アンテナポートを利用して受信する（即ち、受信アンテナ数に関する伝送モードは、２つの受信アンテナポートである）。ユーザ機器は、４受信アンテナポートと２受信アンテナポートの伝送モード間での切り替えが必要であると決定した場合、所望の受信アンテナポート数をネットワーク側機器に送信し、ネットワーク側機器は、ユーザ機器がその所望の受信アンテナポート数に切り替えられるかを総合的に判定する。
【００３６】
記載しやすくするために、以下、受信アンテナ数を例として詳細に説明し、且つ、４受信は、受信アンテナ数が４であることを示し、２受信は、受信アンテナ数が２であることを示す。又は、伝送モードを指示する他のパラメータは、同じ方式で決定される。受信アンテナ数を例にとり、０が２受信、１が４受信を示すように設定する場合、ユーザ機器から送信される変更情報に「０」が搬送されると、ユーザ機器の所望受信アンテナ数が２であることを示す。又は、送信アンテナ数を例にとり、０が１送信、１が２送信を示す場合、ユーザ機器から送信される変更情報に「０」が搬送されると、ユーザ機器の所望送信アンテナ数が１であることを示す。又は、例えば１ｂｉｔの送受信ジョイント符号化で０が２受信及び１送信、１が４受信及び２送信を示す場合、ユーザ機器から送信される変更情報に「０」が搬送されると、ユーザ機器の所望受信アンテナ数が２、所望送信アンテナ数が１であることを示す。ここの受信アンテナ数は、送信アンテナ数、受信アンテナポート数、送信アンテナポート数、受信チャネル数、送信チャネル数、最大下りレイヤ数、及び最大上りレイヤ数のいずれかであってもよい。
【００３７】
ここで、具体的な実施において、ネットワーク側機器は、ユーザ機器の変更情報を受信すると、該変更情報に基づいて、対応するフィードバック情報をユーザ機器に返信して、ユーザ機器が現在実行可能な伝送モードを知らせる。この場合、ユーザ機器は、フィードバック情報を受信すると、該フィードバック情報に基づいて伝送モードを変更するが、図２に示すように、具体的には以下のように行われる。
【００３８】
Ｓ２０１において、ユーザ機器は、所望伝送モードを指示するための変更情報を送信する。
【００３９】
Ｓ２０２において、ネットワーク側機器は、変更情報に基づいてフィードバック情報を決定する。ここで、該フィードバック情報は、所望伝送モードに同意するか否かを指示することに用いられる。又は、該フィードバック情報は、目標伝送モードを指示することに用いられる。具体的には、該目標伝送モードは、ネットワーク側機器が伝送モード影響要素に基づいて総合的に決定したものである。該目標伝送モードは、所望伝送モードとは同じであってもよいし、異なってもよい。
【００４０】
Ｓ２０３において、ネットワーク側機器は、フィードバック情報をユーザ機器に送信する。それによって、ユーザ機器は、該フィードバック情報を受信して、該フィードバック情報に基づいて伝送モードの変更を行う。
【００４１】
Ｓ２０４において、ユーザ機器は、フィードバック情報を受信すると、現在の伝送モードを、フィードバック情報によって指示される伝送モードにセットする。
【００４２】
具体的には、上記Ｓ２０４において、現在の伝送モードをフィードバック情報によって指示される伝送モードにセットすることは、具体的に以下を含む。
フィードバック情報が所望伝送モードに同意するか否かを指示することに用いられる場合、以下の２種類の可能性がある。
（１）フィードバック情報により、所望伝送モードに同意すると指示する場合、現在の伝送モードを所望伝送モードにセットする。具体的には、ネットワーク側機器は、現在、ユーザ機器が所望伝送モードを利用して下りデータの受信又は上りデータの送信を行うことができると総合的に判定する。この場合、ネットワーク側機器は、同意を表す情報を送信し、例えば０で同意を、１で同意しないを示すと予め設定する。ユーザ機器は、０が搬送されたフィードバック情報を受信すると、現在の伝送モードを所望伝送モードにセットする。
（２）フィードバック情報により、所望伝送モードに同意しないと指示する場合、現在の伝送モードそのままにする。具体的には、ネットワーク側機器は、現在、ユーザ機器が元の伝送モードを利用して下りデータの受信又は上りデータの送信を行う必要があると総合的に判定する。この場合、ネットワーク側機器は、同意しないを表す情報を送信し、例えば０で同意を、１で同意しないを示すと予め設定する。ユーザ機器は、１が搬送されたフィードバック情報を受信すると、現在の伝送モードそのままにする。
【００４３】
ここで、ネットワーク側機器は、ユーザ機器が現在実行可能な伝送モードを、複数の伝送モード影響要素に基づいて総合的に決定し、決定した伝送モードがユーザ機器の現在の伝送モードに一致すると、所望伝送モードに同意しない旨のフィードバック情報をユーザ機器に送信する。そして、ユーザ機器は、該フィードバック情報を受信すると、現在の伝送モードそのままにする。
【００４４】
例えば、ユーザ機器の受信アンテナ数が４（即ち４受信）である場合、ユーザ機器は、自身の属性（例えば発熱状況）に基づいて、所望受信アンテナ数を２（２受信）に決定する。しかし、ネットワーク側機器は、下りトラフィックの属性とともに、ユーザ機器に使用される受信アンテナ数が４であると決定する。この場合、ネットワーク側機器から送信されるフィードバック情報は、所望伝送モードに同意しないことを指示する。
【００４５】
フィードバック情報が目標伝送モードを指示することに用いられる場合でも、以下の２つの可能性がある。
（１）フィードバック情報が目標伝送モードを指示する場合、目標伝送モードが現在の伝送モードと異なれば、現在の伝送モードを目標伝送モードにセットする。ここで、該目標伝送モードは、所望伝送モードと同じである可能性もあれば、異なる可能性もある。
（２）フィードバック情報が目標伝送モードを指示する場合、目標伝送モードが現在の伝送モードと同じであれば、現在の伝送モードそのままにする。ここで、目標伝送モードが現在の伝送モードと同じである場合、ネットワーク側機器は、フィードバック情報をユーザ機器に送信してもよいし、フィードバック情報をユーザ機器に送信しなくてもよい。具体的な実施において、ユーザ機器から送信した変更情報をネットワーク側機器が受信しており、変更情報に基づいた総合的な判定結果として、ユーザ機器の伝送モード変更に同意しないことをユーザ機器に取得させるために、選択可能に、ネットワーク側機器が決定した目標伝送モードが現在の伝送モードと同じであっても、フィードバック情報をユーザ機器に返信する。
【００４６】
具体的には、ユーザ機器は、変更情報をネットワーク側機器に送信する前に、まず自身の所望伝送モードを決定する必要がある。図３に示すように、Ｓ２０１においてユーザ機器が所望伝送モードを指示するための変更情報を送信する前に、更に、以下のステップを含む。
Ｓ２０５において、伝送モード影響要素に基づいて所望伝送モードを決定する。ここで、該伝送モード影響要素は、ユーザ機器の余剰電力量、ユーザ機器の発熱指標、上りトラフィックの属性、下りトラフィックの属性の少なくとも１つを含む。具体的には、上りトラフィックの属性は、例えば送信アンテナ数、最大上りレイヤ数など、上りに関する伝送モードのパラメータ及びその値に影響を与えるが、下りトラフィックの属性は、例えば受信アンテナ数、最大下りレイヤ数など、下りに関する伝送モードのパラメータ及びその値に影響を与える。
【００４７】
ここで、所望伝送モードを決定する際に、伝送モード影響要素の１つ又は複数に基づいて決定する。複数の影響要素が導入され、即ち伝送モード影響要素の数が複数である場合、各影響要素に対応する初期の所望伝送モードとともに、最終的な所望伝送モードを総合的に決定する。具体的な実施において、各伝送モード影響要素の優先度を予めセットし、優先度の最も高い影響要素に対応する所望伝送モードを最終的な所望伝送モードに決定する。
【００４８】
所定判定条件を予め設定してもよく、各影響要素に対応する所望伝送モード及び所定判定条件に基づいて最終的な所望伝送モードを決定する。例えば、所定判定条件は、所定数の影響要素に対応する所望伝送モードが同じであると、該所望伝送モードを最終的な所望伝送モードにセットすることを含む。例えば、３つの影響要素のうち、２つの影響要素に対応する所望受信アンテナ数が２受信であれば、最終的な所望受信アンテナ数を２受信に決定する。具体的な実施において、最終的な所望伝送モード決定方式は、実際のニーズに応じて設定される。
【００４９】
ここで、伝送モード影響要素毎に、対応する所望伝送モードを決定する手順は、具体的に以下である。
【００５０】
（１）ユーザ機器の余剰電力量に対し、余剰電力量と伝送モードとの対応関係を予め設定し、ユーザ機器の現在の余剰電力量から所望伝送モードを決定する。
例えば、受信アンテナ数を例にとり、受信アンテナ数が２又は４であり、所定の対応関係として、余剰電力量が所定電力量閾値以下であると、受信アンテナ数が２であることに対応し、余剰電力量が所定電力量閾値より大きくなると、受信アンテナ数が４であることに対応する。
従って、ユーザ機器の現在の余剰電力量が第１所定電力量閾値（例えば１０％であり、実際の状況に応じて設定される）以下であり、且つユーザ機器の現在の受信アンテナ数が４、即ち４受信である場合、所望受信アンテナ数は、２であり、即ち２受信である。
ユーザ機器の現在の余剰電力量が第２所定電力量閾値（例えば２０％であり、実際の状況に応じて設定される）以上であり、且つユーザ機器の現在の受信アンテナ数が２、即ち２受信である場合、所望受信アンテナ数は、４であり、即ち４受信である。
【００５１】
（２）ユーザ機器の発熱状況に対し、実際測定温度と伝送モードとの対応関係を予め設定し、ユーザ機器の実際測定温度から所望伝送モードを決定する。
例えば、受信アンテナ数を例にとり、受信アンテナ数が２又は４であり、所定の対応関係として、実際測定温度が所定温度閾値より大きくなると、受信アンテナ数が２であることに対応し、実際測定温度が所定温度閾値以下になると、受信アンテナ数が４であることに対応する。
従って、ユーザ機器の実際測定温度が第１所定温度閾値（例えば摂氏４０度であり、実際の状況に応じて設定される）より大きく、且つユーザ機器の現在の受信アンテナ数が４、即ち４受信である場合、所望受信アンテナ数は、２であり、即ち２受信である。
ユーザ機器の実際測定温度が第２所定温度閾値（例えば摂氏４０度であり、実際の状況に応じて設定される）以下であり、且つユーザ機器の現在の受信アンテナ数が２、即ち２受信である場合、所望受信アンテナ数は、４であり、即ち４受信である。
【００５２】
（３）下りトラフィックの属性に対し、下りトラフィックの属性と伝送モードとの対応関係を予め設定し、下りトラフィックの属性から所望伝送モードを決定する。ここで、下りトラフィックの属性は、例えば受信アンテナ数、最大下りレイヤ数など、下りに関する伝送モードのパラメータ及びその値に影響を与える。
例えば、受信アンテナ数を例にとり、受信アンテナ数が２又は４であり、所定の対応関係として、下りトラフィックの属性が第１所定トラフィック属性に適合すると、受信アンテナ数が２であることに対応し、下りトラフィックの属性が第２所定トラフィック属性に適合すると、受信アンテナ数が４であることに対応する。
従って、下りトラフィックの属性が第１所定トラフィック属性に適合し、且つユーザ機器の現在の受信アンテナ数が４、即ち４受信である場合、所望受信アンテナ数は、２であり、即ち２受信である。
下りトラフィックの属性が第２所定トラフィック属性に適合し、且つユーザ機器の現在の受信アンテナ数が２、即ち２受信である場合、所望受信アンテナ数は、４であり、即ち４受信である。
【００５３】
（４）上りトラフィックの属性に対し、上りトラフィックの属性と伝送モードとの対応関係を予め設定し、上りトラフィックの属性から所望伝送モードを決定する。ここで、上りトラフィックの属性は、例えば送信アンテナ数、最大上りレイヤ数など、上りに関する伝送モードのパラメータ及びその値に影響を与える。
例えば、送信アンテナ数を例にとり、送信アンテナ数が１又は２であり、所定の対応関係として、上りトラフィックの属性が第３所定トラフィック属性に適合すると、送信アンテナ数が１であることに対応し、上りトラフィックの属性が第４所定トラフィック属性に適合すると、送信アンテナ数が２であることに対応する。
従って、上りトラフィックの属性が第３所定トラフィック属性に適合し、且つユーザ機器の現在の送信アンテナ数が２、即ち２送信である場合、所望送信アンテナ数は、１であり、即ち１送信である。
上りトラフィックの属性が第４所定トラフィック属性に適合し、且つユーザ機器の現在の送信アンテナ数が１、即ち１送信である場合、所望送信アンテナ数は、２であり、即ち２送信である。
【００５４】
更に、ユーザ機器は、ユーザ機器の余剰電力量、ユーザ機器の発熱指標、上りトラフィックの属性、下りトラフィックの属性の少なくとも１つをネットワーク側機器に送信する。それによって、ネットワーク側機器は、該情報をフィードバック情報決定用の伝送モード影響要素に用いる。
【００５５】
ここで、ユーザ機器は、ネットワーク側機器から送信されたフィードバック情報に基づいて伝送モードをセットした後に、フィードバック情報によって指示される伝送モードに基づいてデータ伝送を行い、チャネル関連パラメータの報告に対し、具体的に、フィードバック情報を受信した後に、フィードバック情報によって指示される伝送モードに基づいて、チャネル関連パラメータをネットワーク側機器に報告する。
ここで、チャネル関連パラメータは、パラメータであるチャネル品質指示ＣＱＩ、ランク指示ＲＩ、プリコーディング行列指示ＰＭＩ及びレイヤ指示ＬＩの少なくとも１つを含む。
【００５６】
ここで、ユーザ機器の現在の伝送モードが、ネットワーク側機器のフィードバック指示に基づいてセットされるので、受信したスケジューリングシグナリングに対応する伝送モードが現在の伝送モードと異なる場合、ユーザ機器がネットワーク側機器のスケジューリングに応答して伝送モードを変更した後にスケジューリングシグナリングを実行可能になるのであれば、伝送モードの変更に処理遅延が存在する。従って、ユーザ機器は、現在の伝送モードそのままにすることを選択し、ネットワーク側機器のスケジューリングを無視することができる。
これに基づいて、具体的には、現在の伝送モードを、前記フィードバック情報によって指示される伝送モードにセットした後に、ネットワーク側機器から送信されたスケジューリングシグナリングに対応する伝送モードが、フィードバック情報によって指示される伝送モードと異なる場合、ネットワーク側機器から送信されたスケジューリングシグナリングを無視する。
ここで、スケジューリングシグナリングは、下りデータをスケーリングするシグナリング又は上りデータをスケーリングするシグナリングを含む。
【００５７】
具体的には、例えば、ユーザ端末の現在の伝送モードが２受信アンテナポートである。ネットワーク側機器のスケジューリングシグナリングによって指示される下りＰＭＩが４受信アンテナポートに基づくものであり、又は、スケジューリングシグナリングによって指示される下りＲＩが２より大きく、又は、スケジューリングシグナリングによって指示される下りＬＩが２より多くなると、現在の伝送モードではネットワーク側機器のスケジューリングシグナリングを実行することができず、ＵＥは、ネットワーク側機器から送信されるスケジューリングシグナリングを無視し、即ち、該スケジューリングシグナリングを実行しない。この場合、ＵＥは、ＮＡＣＫ（Ｎｅｇａｔｉｖｅ  Ａｃｋｎｏｗｌｅｄｇｍｅｎｔ）をネットワーク側機器にフィードバックする。
【００５８】
また、例えば、ユーザ端末の現在の伝送モードが１送信アンテナポートである。ネットワーク側機器のスケジューリングシグナリングによって指示される上りＰＭＩが２受信アンテナポートに基づくものであり、又は、スケジューリングシグナリングによって指示される上りＲＩが２であり、又は、スケジューリングシグナリングによって指示される上りＬＩが２であると、現在の伝送モードではネットワーク側機器のスケジューリングシグナリングを実行することができず、ＵＥは、ネットワーク側機器から送信されるスケジューリングシグナリングを無視し、即ち、該スケジューリングシグナリングを実行しない。この場合、ＵＥは、スケジューリングシグナリングの指示に応じた上りデータ送信をしない。
【００５９】
具体的には、ネットワーク側機器からユーザ機器にフィードバック情報を送信する手順に対し、該フィードバック情報は、物理レイヤシグナリング、媒体アクセス制御ＭＡＣシグナリング、無線リソース制御ＲＲＣシグナリング、及びウェイクアップ信号ＷＵＳのいずれかによって送信される。
【００６０】
ここで、フィードバック情報がウェイクアップ信号ＷＵＳによって送信される場合、図４に示すように、上記Ｓ２０４において現在の伝送モードをフィードバック情報によって指示される伝送モードにセットすることは、具体的には、以下のステップを含む。
【００６１】
Ｓ２０４１において、ウェイクアップ信号の関連情報及び所定の対応関係に基づいて、フィードバック情報によって指示される伝送モードを決定する。ここで、該所定対応関係は、ウェイクアップ信号の関連情報と伝送モードとの対応関係を含む。
【００６２】
Ｓ２０４２において、現在の伝送モードを、フィードバック情報によって指示される伝送モードにセットする。ここで、該フィードバック情報によって指示される伝送モードは、所望伝送モードと同じであってもよいし、異なってもよい。
【００６３】
具体的には、上記ウェイクアップ信号の関連情報は、ウェイクアップ信号の系列の直交カバーコード、ウェイクアップ信号の系列のサイクリックシフト、ウェイクアップ信号の系列のルート系列、ウェイクアップ信号の系列のスクランブル系列の少なくとも１つを含む。
【００６４】
ここで、ウェイクアップ信号は、１つの系列である。該系列の要素は、直交カバーコード、サイクリックシフト、ルート系列及びスクランブル系列を含む。各要素が異なると、系列が異なり、ウェイクアップ信号が異なる。具体的な実施において、ウェイクアップ信号の系列の各要素と伝送モードとの対応関係を予め記憶し、系列の直交カバーコードを例にとり、２つの系列の直交カバーコードは、異なる伝送モードを指示する。例えば、直交カバーコード１は、受信アンテナ数が２である（２受信）ことを指示し、直交カバーコード２は、受信アンテナ数が４である（４受信）ことを指示する。
【００６５】
それに対応し、受信したウェイクアップ信号の系列の直交カバーコードが直交カバーコード１であれば、フィードバック情報によって指示される伝送モードは、受信アンテナ数２（２受信）である。この場合、ユーザ機器は、現在の受信アンテナ数を２受信にセットする。
【００６６】
本開示の実施例の伝送モード決定方法において、ユーザ機器の所望伝送モードを指示するための変更情報をネットワーク側機器に送信する。本開示の実施例において、伝送モードの変更を要求する変更情報をユーザ機器からネットワーク側機器に送信することによって、ネットワーク側機器は、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【００６７】
上記実施例に対応し、本開示の別の実施例は、ユーザ機器に応用される伝送モード決定方法を提供する。本実施例において、前記実施例と同じ内容について、前記実施例の詳細な記載を参照し、本実施例では繰り返し記載しない。
【００６８】
図５は、本開示の別の実施例に係る伝送モード決定方法のフローチャートである。図５に示すように、該方法は、以下のステップを含む。
【００６９】
Ｓ５０１において、ネットワーク側機器から送信された目標伝送モードを受信する。ここで、ユーザ機器から変更要求が送信されない場合、ネットワーク側機器は、ユーザ機器の伝送モード変更が必要であると決定すると、自発的に目標伝送モードをユーザ機器に送信する。
【００７０】
Ｓ５０２において、現在の伝送モードを、ネットワーク側機器から送信される目標伝送モードにセットする。具体的には、ネットワーク側機器は、明示的指示方式で目標伝送モードを指示してもよいし、暗黙的指示方式で目標伝送モードを指示してもよい。明示的指示を例にとり、例えば０で２受信を、１で４受信を示すと予め設定すると、ユーザ機器が０を受信した場合、現在の受信アンテナ数を２にセットし、即ち目標受信アンテナ数が２である。
【００７１】
本開示の実施例において、ネットワーク側機器から自発的にユーザ機器に目標伝送モードを送信する場合、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【００７２】
ここで、上記目標伝送モードは、ネットワーク側機器が伝送モード影響要素に基づいて決定したものである。該要素は、ユーザ機器の余剰電力量、ユーザ機器の発熱指標、上りトラフィックの属性、下りトラフィックの属性の少なくとも１つを含む。ユーザ機器の余剰電力量、ユーザ機器の発熱指標、上りトラフィックの属性、下りトラフィックの属性は、ユーザ機器からネットワーク側機器に報告される。ここで、ネットワーク側機器が主にユーザ機器の伝送モードを決定するため、目標伝送モードの決定に導入される影響要素が多いほど、ユーザ機器の伝送モードの変更が精確となる。目標伝送モードの具体的な決定方式は、前記実施例の所望伝送モード決定方式を参照する。
【００７３】
ここで、上記目標伝送モードは、物理レイヤシグナリング、媒体アクセス制御ＭＡＣシグナリング、無線リソース制御ＲＲＣシグナリング及びウェイクアップ信号ＷＵＳのいずれかによって送信される。
【００７４】
具体的な実施において、ユーザ機器がネットワーク側機器の指示に基づいて伝送モードを設定し、ネットワーク側機器は、明示的指示方式を採用することができる。
具体的には、ネットワーク側機器は、物理レイヤシグナリング、媒体アクセス制御ＭＡＣシグナリング、無線リソース制御ＲＲＣシグナリング及びウェイクアップ信号ＷＵＳのいずれに目標伝送モードを搬送する。
ユーザ機器は、ネットワーク側機器から目標伝送モードを明示的に指示するシグナリング又は信号を受信し、現在の伝送モードを該目標伝送モードにセットする。
【００７５】
具体的な実施において、ユーザ機器がネットワーク側機器の指示に基づいて伝送モードを設定し、ネットワーク側機器は、暗黙的指示方式を採用することもできる。
具体的には、上記Ｓ５０１においてネットワーク側機器から送信された目標伝送モードを受信することは、具体的には、ネットワーク側機器から目標伝送モードを指示する指示シグナリング又は指示信号を受信する。
ここで、該指示シグナリングは、物理レイヤシグナリング、媒体アクセス制御ＭＡＣシグナリング又は無線リソース制御ＲＲＣシグナリングを含む。該指示信号は、ウェイクアップ信号ＷＵＳを含む。該指示シグナリング又は指示信号は、目標伝送モードを暗黙的に指示するパラメータである帯域幅部分ＢＷＰ、変調符号化スキームＭＣＳ、マルチ入力マルチ出力ＭＩＭＯレイヤ数のうちの１つを搬送する。
【００７６】
上記Ｓ５０２において現在の伝送モードをネットワーク側機器から送信された目標伝送モードにセットすることは、具体的には、指示シグナリング又は指示信号に搬送されたパラメータ及び所定対応関係に基づいて、ネットワーク側機器によって指示される目標伝送モードを決定する。
ここで、該所定対応関係は、各パラメータの異なる属性値と伝送モードとの対応関係を含む。
現在の伝送モードを、ネットワーク側機器によって指示される目標伝送モードにセットする。
【００７７】
本開示の実施例において、ネットワーク側機器は、ユーザ機器の伝送モードを暗黙的指示方式で設定する。このように、ネットワーク側機器は、帯域幅部分ＢＷＰ、変調符号化スキームＭＣＳ、マルチ入力マルチ出力ＭＩＭＯレイヤ数のうちのいずれかを搬送したスケジューリングシグナリングをユーザ機器に送信する場合、ユーザ機器が実行する必要のある目標伝送モードを暗黙的に知らせることができるので、ネットワーク側機器からユーザ機器にスケジューリングシグナリングを送信する回数を減らす。
【００７８】
（１）目標伝送モードを帯域幅部分ＢＷＰによって暗黙的に指示する場合、異なる帯域幅部分ＢＷＰの番号と伝送モードとの対応関係を予め取り決め、例えば帯域幅部分ＢＷＰの番号１が受信アンテナ数２（２受信）を指示し、帯域幅部分ＢＷＰの番号２が受信アンテナ数４（４受信）を指示する。
【００７９】
それに対応して、受信した帯域幅部分ＢＷＰの番号が１であれば、ネットワーク側機器によって指示される目標伝送モードは、受信アンテナ数２（２受信）である。この場合、ユーザ機器は、現在の受信アンテナ数を２受信にセットする。
【００８０】
又は、異なる帯域幅部分ＢＷＰの幅と伝送モードとの対応関係を予め取り決め、例えば帯域幅部分ＢＷＰの幅が２０ＲＢ以下であることは、受信アンテナ数２（２受信）を指示し、帯域幅部分ＢＷＰの幅が２０ＲＢより大きくなることは、受信アンテナ数４（４受信）を指示する。
【００８１】
それに対応して、受信した帯域幅部分ＢＷＰの幅が２０ＲＢより小さくなると、ネットワーク側機器によって指示される目標伝送モードは、受信アンテナ数２（２受信）である。この場合、ユーザ機器は、現在の受信アンテナ数を２受信にセットする。
【００８２】
（２）目標伝送モードを変調符号化スキームＭＣＳによって暗黙的に指示する場合、異なる変調符号化スキームＭＣＳの変調階数と伝送モードとの対応関係を予め取り決め、例えば変調符号化スキームＭＣＳの変調階数が１６ＱＡＭ以下であることは、受信アンテナ数２（２受信）を指示し、変調符号化スキームＭＣＳの変調階数が１６ＱＡＭより大きいことは、受信アンテナ数４（４受信）を指示する。
【００８３】
それに対応して、受信した変調符号化スキームＭＣＳの変調階数が１６ＱＡＭより小さくなると、ネットワーク側機器によって指示される目標伝送モードは、受信アンテナ数２（２受信）である。この場合、ユーザ機器は、現在の受信アンテナ数を２受信にセットする。
【００８４】
（３）目標伝送モードをマルチ入力マルチ出力ＭＩＭＯレイヤ数によって暗黙的に指示する場合、マルチ入力マルチ出力ＭＩＭＯレイヤ数と伝送モードとの対応関係を予め取り決め、例えばマルチ入力マルチ出力ＭＩＭＯレイヤ数が１又は２であることは、受信アンテナ数２（２受信）を指示し、マルチ入力マルチ出力ＭＩＭＯレイヤ数が３又は４であることは、受信アンテナ数４（４受信）を指示する。
【００８５】
それに対応して、受信したマルチ入力マルチ出力ＭＩＭＯレイヤ数が１であれば、ネットワーク側機器によって指示される目標伝送モードは、受信アンテナ数２（２受信）である。この場合、ユーザ機器は、現在の受信アンテナ数を２受信にセットする。
【００８６】
また、ウェイクアップ信号ＷＵＳの関連パラメータを利用して目標伝送モードを暗黙的に指示してもよい。
目標伝送モードをウェイクアップ信号ＷＵＳによって送信する場合、上記Ｓ５０２において現在の伝送モードをネットワーク側機器から送信された目標伝送モードにセットすることは、
ウェイクアップ信号の関連情報、及び、ウェイクアップ信号の関連情報と伝送モードとの対応関係を含む所定の対応関係に基づいて、目標伝送モードを決定し、
現在の伝送モードを、決定された目標伝送モードにセットする。
【００８７】
具体的には、上記ウェイクアップ信号の関連情報は、ウェイクアップ信号の系列の直交カバーコード、ウェイクアップ信号の系列のサイクリックシフト、ウェイクアップ信号の系列のルート系列、ウェイクアップ信号の系列のスクランブル系列の少なくとも１つを含む。
【００８８】
ここで、ウェイクアップ信号は、１つの系列である。該系列の要素は、直交カバーコード、サイクリックシフト、ルート系列及びスクランブル系列を含む。各要素が異なると、系列が異なり、ウェイクアップ信号が異なる。具体的な実施において、ウェイクアップ信号の系列の各要素と伝送モードとの対応関係を予め記憶し、系列の直交カバーコードを例にとり、２つの系列の直交カバーコードは、異なる伝送モードを指示する。例えば、直交カバーコード１は、受信アンテナ数が２である（２受信）ことを指示し、直交カバーコード２は、受信アンテナ数が４である（４受信）ことを指示する。
【００８９】
それに対応し、受信したウェイクアップ信号の系列の直交カバーコードが直交カバーコード１であれば、フィードバック情報によって指示される伝送モードは、受信アンテナ数２（２受信）である。この場合、ユーザ機器は、現在の受信アンテナ数を２受信にセットする。
【００９０】
ここで、ユーザ機器は、ネットワーク側機器によって指示される目標伝送モードに基づいて現在の伝送モードをセットした後に、目標伝送モードに基づいてデータ伝送を行い、チャネル関連パラメータの報告に対し、具体的に、目標伝送モードに基づいてネットワーク側機器にチャネル関連パラメータを報告する。
ここで、チャネル関連パラメータは、パラメータであるチャネル品質指示ＣＱＩ、ランク指示ＲＩ、プリコーディング行列指示ＰＭＩ、及びレイヤ指示ＬＩの少なくとも１つを含む。
【００９１】
ここで、ユーザ機器の現在の伝送モードが、ネットワーク側機器の目標伝送モード指示に基づいてセットされるので、受信したスケジューリングシグナリングに対応する伝送モードが現在の伝送モードに一致しない場合、ユーザ機器がネットワーク側機器のスケジューリングに応答して伝送モードを変更した後にスケジューリングシグナリングを実行可能になるのであれば、伝送モードの変更に処理遅延が存在する。従って、ユーザ機器は、現在の伝送モードそのままにすることを選択し、ネットワーク側機器のスケジューリングを無視することができる。
これに基づいて、具体的には、ネットワーク側機器から送信されたスケジューリングシグナリングに対応する伝送モードが、目標伝送モードと異なる場合、ネットワーク側機器から送信されたスケジューリングシグナリングを無視する。
ここで、スケジューリングシグナリングは、下りデータをスケーリングするシグナリング又は上りデータをスケーリングするシグナリングを含む。
【００９２】
具体的には、例えば、ユーザ端末の現在の伝送モードが２受信アンテナポートである。ネットワーク側機器のスケジューリングシグナリングによって指示される下りＰＭＩが４受信アンテナポートに基づくものであり、又は、スケジューリングシグナリングによって指示される下りＲＩが２より大きく、又は、スケジューリングシグナリングによって指示される下りＬＩが２より多くなると、現在の伝送モードではネットワーク側機器のスケジューリングシグナリングを実行することができず、ＵＥは、ネットワーク側機器から送信されるスケジューリングシグナリングを無視し、即ち、該スケジューリングシグナリングを実行しない。この場合、ＵＥは、ＮＡＣＫ（Ｎｅｇａｔｉｖｅ  Ａｃｋｎｏｗｌｅｄｇｍｅｎｔ）をネットワーク側機器にフィードバックする。
【００９３】
また、例えば、ユーザ端末の現在の伝送モードが１送信アンテナポートである。ネットワーク側機器のスケジューリングシグナリングによって指示される上りＰＭＩが２受信アンテナポートに基づくものであり、又は、スケジューリングシグナリングによって指示される上りＲＩが２であり、又は、スケジューリングシグナリングによって指示される上りＬＩが２であると、現在の伝送モードではネットワーク側機器のスケジューリングシグナリングを実行することができず、ＵＥは、ネットワーク側機器から送信されるスケジューリングシグナリングを無視し、即ち、該スケジューリングシグナリングを実行しない。この場合、ＵＥは、スケジューリングシグナリングの指示に応じた上りデータ送信をしない。
【００９４】
本開示の実施例の伝送モード決定方法において、ネットワーク側機器から自発的にユーザ機器に目標伝送モードを送信する場合、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【００９５】
本開示の実施例の具体的な実施手順は、前記実施例の記載を参照し、ここでは繰り返して記載しない。
【００９６】
上記実施例に対応し、本開示のまた別の実施例は、ネットワーク側機器に応用される伝送モード決定方法を提供する。本実施例において、前記実施例と同じ内容について、前記実施例の詳細な記載を参照し、本実施例では繰り返し記載しない。
【００９７】
図６は、本開示のまた別の実施例に係る伝送モード決定方法のフローチャートである。図６に示すように、該方法は、以下のステップを含む。
【００９８】
Ｓ６０１において、ユーザ機器から、ユーザ機器の所望伝送モードを指示するための変更情報を受信する。
ここで、上記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【００９９】
ここで、ユーザ機器は、伝送モードの変更が必要であると決定した場合、伝送モードの変更を要求する変更情報をネットワーク側機器に送信する。ここで、該変更情報は、所望伝送モードが搬送されない情報であってもよいし、所望伝送モードを指示するための情報であってもよく、即ち変更情報には、ユーザ機器によって決定された所望伝送モードが搬送される。具体的な実施において、ユーザ機器が希望する切り替え先の伝送モードをネットワーク側機器が迅速に決定することを保証するために、選択可能に、該変更情報は、ユーザ機器の所望伝送モードを指示する。
【０１００】
本開示の実施例において、ネットワーク側機器は、伝送モードの変更を要求する変更情報をユーザ機器から受信することによって、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【０１０１】
ここで、具体的な実施において、ネットワーク側機器は、ユーザ機器の変更情報を受信すると、該変更情報に基づいて、対応するフィードバック情報をユーザ機器に返信して、ユーザ機器が現在実行可能な伝送モードを知らせる。それによって、ユーザ機器は、フィードバック情報を受信すると、該フィードバック情報に基づいて伝送モードを変更する。具体的には、Ｓ６０１においてユーザ機器から送信された変更情報を受信した後に、更に以下のステップを含む。
【０１０２】
Ｓ６０２において、変更情報に基づいてフィードバック情報を決定する。具体的には、ネットワーク側機器は、ユーザ機器から送信された変更情報を受信すると、該変更情報に基づいて、ユーザ機器が現在実行可能な伝送モードを決定し、決定結果と合わせて、対応するフィードバック情報を生成する。
【０１０３】
Ｓ６０３において、フィードバック情報をユーザ機器に送信する。それによって、ユーザ機器は、現在の伝送モードを、フィードバック情報によって指示される伝送モードにセットする。ここで、該フィードバック情報は、所望伝送モードに同意するか否かを指示することに用いられ、又は、該フィードバック情報は、目標伝送モードを指示することに用いられる。具体的には、該目標伝送モードは、ネットワーク側機器が伝送モード影響要素に基づいて総合的に決定される。該目標伝送モードは、所望伝送モードとは同じであってもよいし、異なってもよい。
【０１０４】
具体的には、ネットワーク側機器は、ユーザ機器の伝送モードをより精確に設定することを保証するために、フィードバック情報の決定に際し、伝送モード影響要素を総合的に考慮してフィードバック情報を決定する。従って、変更情報に基づいてフィードバック情報を決定する。
具体的には、変更情報と伝送モード影響要素に基づいてフィードバック情報を決定する。ここで、ネットワーク側機器は、複数の伝送モード影響要素に基づいて、ユーザ機器が現在実行可能な伝送モードを総合的に決定する。決定した伝送モードがユーザ機器の現在の伝送モードと異なる場合、所望伝送モードに同意しない旨のフィードバック情報をユーザ機器に送信する。そして、ユーザ機器が該フィードバック情報を受信すると、現在の伝送モードそのままにする。
【０１０５】
例えば、ユーザ機器の受信アンテナ数が４（即ち４受信）である場合、ユーザ機器は、自身の属性（例えば発熱状況）に基づいて、所望受信アンテナ数を２（２受信）に決定する。しかし、ネットワーク側機器は、下りトラフィックの属性とともに、ユーザ機器に使用される受信アンテナ数が４であると決定する。この場合、ネットワーク側機器から送信されるフィードバック情報は、所望伝送モードに同意しないことを指示する。
【０１０６】
ここで、ネットワーク側機器がフィードバック情報の決定に参照する伝送モード影響要素は、ユーザ機器の余剰電力量、ユーザ機器の発熱指標、上りトラフィックの属性、下りトラフィックの属性の少なくとも１つを含む。
ここで、具体的に決定手順は、前記実施例に記載の内容を参照し、ここでは繰り返して記載しない。
【０１０７】
ここで、伝送モードは、サービングセルに関連付けられ、又は、サービングセルの目標帯域幅部分ＢＷＰに関連付けられる。具体的には、変更情報は、サービングセルに対する伝送モード又は特定の１つ又は複数の目標帯域幅部分ＢＷＰに対する伝送モードの変更を要求するものである。ここで、異なるＢＷＰの伝送モードは、異なってもよい。
【０１０８】
更に、ネットワーク側機器は、ユーザ機器の余剰電力量、ユーザ機器の発熱指標、上りトラフィックの属性、下りトラフィックの属性の少なくとも１つをユーザ機器から受信し、受信した情報を、フィードバック情報決定用の伝送モード影響要素とする。
【０１０９】
具体的には、ネットワーク側機器からユーザ機器にフィードバック情報を送信する手順に対し、該フィードバック情報は、物理レイヤシグナリング、媒体アクセス制御ＭＡＣシグナリング、無線リソース制御ＲＲＣシグナリング及びウェイクアップ信号ＷＵＳのいずれかによって送信される。
【０１１０】
ここで、フィードバック情報がウェイクアップ信号ＷＵＳによって送信される場合、ウェイクアップ信号の関連情報と伝送モードとは所定の対応関係を有し、それによって、フィードバック情報によって指示される伝送モードを、ユーザ端末がウェイクアップ信号の関連情報と所定の対応関係に基づいて決定する。
【０１１１】
具体的には、ユーザ機器がフィードバック情報を受信すると、現在の伝送モードをフィードバック情報によって指示される伝送モードにセットすることは、具体的には、以下のステップを含む。
ウェイクアップ信号の関連情報及び所定の対応関係に基づいて、フィードバック情報によって指示される伝送モードを決定する。ここで、該所定対応関係は、ウェイクアップ信号の関連情報と伝送モードとの対応関係を含む。
そして、現在の伝送モードを、フィードバック情報によって指示される伝送モードにセットする。ここで、該フィードバック情報によって指示される伝送モードは、所望伝送モードと同じであってもよいし、異なってもよい。
【０１１２】
具体的には、上記ウェイクアップ信号の関連情報は、ウェイクアップ信号の系列の直交カバーコード、ウェイクアップ信号の系列のサイクリックシフト、ウェイクアップ信号の系列のルート系列、ウェイクアップ信号の系列のスクランブル系列の少なくとも１つを含む。
【０１１３】
ここで、ウェイクアップ信号は、１つの系列である。該系列の要素は、直交カバーコード、サイクリックシフト、ルート系列及びスクランブル系列を含む。各要素が異なると、系列が異なり、ウェイクアップ信号が異なる。具体的な実施において、ウェイクアップ信号の系列の各要素と伝送モードとの対応関係を予め記憶し、系列の直交カバーコードを例にとり、２つの系列の直交カバーコードは、異なる伝送モードを指示する。例えば、直交カバーコード１は、受信アンテナ数が２である（２受信）ことを指示し、直交カバーコード２は、受信アンテナ数が４である（４受信）ことを指示する。
【０１１４】
それに対応し、受信したウェイクアップ信号の系列の直交カバーコードが直交カバーコード１であれば、フィードバック情報によって指示される伝送モードは、受信アンテナ数２（２受信）である。この場合、ユーザ機器は、現在の受信アンテナ数を２受信にセットする。
【０１１５】
本開示の実施例の伝送モード決定方法において、ネットワーク側機器は、伝送モードの変更を要求する変更情報をユーザ機器から受信することによって、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【０１１６】
本開示の実施例の具体的な実施手順は、前記実施例の記載を参照し、ここでは繰り返して記載しない。
【０１１７】
上記の別の実施例に対応し、本開示の更に別の実施例は、ネットワーク側機器に応用される伝送モード決定方法を提供する。本実施例において、前記実施例と同じ内容について、前記実施例の詳細な記載を参照し、本実施例では繰り返し記載しない。
【０１１８】
図７は、本開示の更に別の実施例に係る伝送モード決定方法のフローチャートである。図７に示すように、該方法は、以下のステップを含む。
【０１１９】
Ｓ７０１において、ユーザ機器に目標伝送モードを送信することによって、ユーザ機器が現在の伝送モードを目標伝送モードにセットするようにする。ここで、ユーザ機器から変更要求が送信されない場合、ネットワーク側機器は、ユーザ機器の伝送モード変更が必要であると決定すると、自発的に目標伝送モードをユーザ機器に送信する。
【０１２０】
具体的には、ネットワーク側機器は、明示的指示方式で目標伝送モードを指示してもよいし、暗黙的指示方式で目標伝送モードを指示してもよい。明示的指示を例にとり、例えば０で２受信を、１で４受信を示すと予め設定すると、ユーザ機器が０を受信した場合、現在の受信アンテナ数を２にセットし、即ち目標受信アンテナ数が２である。
【０１２１】
本開示の実施例において、ネットワーク側機器は、伝送モードの変更をユーザ機器が行う必要があると決定すると、目標伝送モードを自発的にユーザ機器に送信し、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【０１２２】
ここで、Ｓ７０１において目標伝送モードをユーザ機器に送信する前に、伝送モード影響要素に基づいて目標伝送モードを決定することを更に含む。
【０１２３】
ここで、上記目標伝送モードは、ネットワーク側機器が伝送モード影響要素に基づいて決定したものである。該要素は、ユーザ機器の余剰電力量、ユーザ機器の発熱指標、上りトラフィックの属性、下りトラフィックの属性の少なくとも１つを含む。ユーザ機器の余剰電力量、ユーザ機器の発熱指標、上りトラフィックの属性、下りトラフィックの属性は、ユーザ機器からネットワーク側機器に報告される。ここで、ネットワーク側機器が主にユーザ機器の伝送モードを決定するため、目標伝送モードの決定に導入される影響要素が多いほど、ユーザ機器の伝送モードの変更が精確となる。目標伝送モードの具体的な決定方式は、前記実施例の所望伝送モード決定方式を参照する。
【０１２４】
ここで、上記目標伝送モードは、物理レイヤシグナリング、媒体アクセス制御ＭＡＣシグナリング、無線リソース制御ＲＲＣシグナリング、及びウェイクアップ信号ＷＵＳのいずれかによって送信される。
【０１２５】
具体的な実施において、ユーザ機器がネットワーク側機器の指示に基づいて伝送モードを設定し、ネットワーク側機器は、明示的指示方式を採用することができる。
具体的には、ネットワーク側機器は、物理レイヤシグナリング、媒体アクセス制御ＭＡＣシグナリング、無線リソース制御ＲＲＣシグナリング及びウェイクアップ信号ＷＵＳのいずれに目標伝送モードを搬送する。
ユーザ機器は、ネットワーク側機器から目標伝送モードを明示的に指示するシグナリング又は信号を受信し、現在の伝送モードを該目標伝送モードにセットする。
【０１２６】
具体的な実施において、ユーザ機器がネットワーク側機器の指示に基づいて伝送モードを設定し、ネットワーク側機器は、暗黙的指示方式を採用することもできる。
具体的には、上記Ｓ７０１において目標伝送モードをユーザ機器に送信することは、具体的には、目標伝送モードを指示するための指示シグナリング又は指示信号をユーザ機器に送信することを含む。
ここで、該指示シグナリングは、物理レイヤシグナリング、媒体アクセス制御ＭＡＣシグナリング又は無線リソース制御ＲＲＣシグナリングを含む。該指示信号は、ウェイクアップ信号ＷＵＳを含む。該指示シグナリング又は指示信号は、目標伝送モードを暗黙的に指示するパラメータである帯域幅部分ＢＷＰ、変調符号化スキームＭＣＳ、マルチ入力マルチ出力ＭＩＭＯレイヤ数のうちの１つを搬送する。
【０１２７】
ここで、ユーザ機器がネットワーク側機器から送信された指示シグナリング又は指示信号を受信すると、現在の伝送モードをネットワーク側機器から送信された目標伝送モードにセットすることは、具体的には、指示シグナリング又は指示信号に搬送されたパラメータ及び所定対応関係に基づいて、ネットワーク側機器によって指示される目標伝送モードを決定する。
ここで、該所定対応関係は、各パラメータの異なる属性値と伝送モードとの対応関係を含む。
現在の伝送モードを、ネットワーク側機器によって指示される目標伝送モードにセットする。
【０１２８】
本開示の実施例において、ネットワーク側機器は、ユーザ機器の伝送モードを暗黙的指示方式で設定する。このように、ネットワーク側機器は、帯域幅部分ＢＷＰ、変調符号化スキームＭＣＳ、マルチ入力マルチ出力ＭＩＭＯレイヤ数のうちのいずれかを搬送したスケジューリングシグナリングをユーザ機器に送信する場合、ユーザ機器が実行する必要のある目標伝送モードを暗黙的に知らせることができるので、ネットワーク側機器からユーザ機器にスケジューリングシグナリングを送信する回数を減らす。
【０１２９】
（１）目標伝送モードを帯域幅部分ＢＷＰによって暗黙的に指示する場合、異なる帯域幅部分ＢＷＰの番号と伝送モードとの対応関係を予め取り決め、例えば帯域幅部分ＢＷＰの番号１が受信アンテナ数２（２受信）を指示し、帯域幅部分ＢＷＰの番号２が受信アンテナ数４（４受信）を指示する。
【０１３０】
それに対応して、受信した帯域幅部分ＢＷＰの番号が１であれば、ネットワーク側機器によって指示される目標伝送モードは、受信アンテナ数２（２受信）である。この場合、ユーザ機器は、現在の受信アンテナ数を２受信にセットする。
【０１３１】
又は、異なる帯域幅部分ＢＷＰの幅と伝送モードとの対応関係を予め取り決め、例えば帯域幅部分ＢＷＰの幅が２０ｒｂ以下であることは、受信アンテナ数２（２受信）を指示し、帯域幅部分ＢＷＰの幅が２０ｒｂより大きくなることは、受信アンテナ数４（４受信）を指示する。
【０１３２】
それに対応して、受信した帯域幅部分ＢＷＰの幅が２０ｒｂより小さくなると、ネットワーク側機器によって指示される目標伝送モードは、受信アンテナ数２（２受信）である。この場合、ユーザ機器は、現在の受信アンテナ数を２受信にセットする。
【０１３３】
（２）目標伝送モードを変調符号化スキームＭＣＳによって暗黙的に指示する場合、異なる変調符号化スキームＭＣＳの変調階数と伝送モードとの対応関係を予め取り決め、例えば変調符号化スキームＭＣＳの変調階数が１６ｑａｍ以下であることは、受信アンテナ数２（２受信）を指示し、変調符号化スキームＭＣＳの変調階数が１６ｑａｍより大きいことは、受信アンテナ数４（４受信）を指示する。
【０１３４】
それに対応して、受信した変調符号化スキームＭＣＳの変調階数が１６ｑａｍより小さくなると、ネットワーク側機器によって指示される目標伝送モードは、受信アンテナ数２（２受信）である。この場合、ユーザ機器は、現在の受信アンテナ数を２受信にセットする。
【０１３５】
（３）目標伝送モードをマルチ入力マルチ出力ＭＩＭＯレイヤ数によって暗黙的に指示する場合、マルチ入力マルチ出力ＭＩＭＯレイヤ数と伝送モードとの対応関係を予め取り決め、例えばマルチ入力マルチ出力ＭＩＭＯレイヤ数が１又は２であることは、受信アンテナ数２（２受信）を指示し、マルチ入力マルチ出力ＭＩＭＯレイヤ数が３又は４であることは、受信アンテナ数４（４受信）を指示する。
【０１３６】
それに対応して、受信したマルチ入力マルチ出力ＭＩＭＯレイヤ数が１であれば、ネットワーク側機器によって指示される目標伝送モードは、受信アンテナ数２（２受信）である。この場合、ユーザ機器は、現在の受信アンテナ数を２受信にセットする。
【０１３７】
また、ウェイクアップ信号ＷＵＳの関連パラメータを利用して目標伝送モードを暗黙的に指示してもよい。目標伝送モードをウェイクアップ信号ＷＵＳによって送信する場合、ユーザ機器がネットワーク側機器から送信された指示シグナリング又は指示信号を受信すると、現在の伝送モードをネットワーク側機器から送信された目標伝送モードにセットすることは、具体的には、ウェイクアップ信号の関連情報、及び、ウェイクアップ信号の関連情報と伝送モードとの対応関係を含む所定の対応関係に基づいて、目標伝送モードを決定し、現在の伝送モードを、決定された目標伝送モードにセットする。
【０１３８】
具体的には、上記ウェイクアップ信号の関連情報は、ウェイクアップ信号の系列の直交カバーコード、ウェイクアップ信号の系列のサイクリックシフト、ウェイクアップ信号の系列のルート系列、ウェイクアップ信号の系列のスクランブル系列の少なくとも１つを含む。
【０１３９】
ここで、ウェイクアップ信号は、１つの系列である。該系列の要素は、直交カバーコード、サイクリックシフト、ルート系列及びスクランブル系列を含む。各要素が異なると、系列が異なり、ウェイクアップ信号が異なる。具体的な実施において、ウェイクアップ信号の系列の各要素と伝送モードとの対応関係を予め記憶し、系列の直交カバーコードを例にとり、２つの系列の直交カバーコードは、異なる伝送モードを指示する。例えば、直交カバーコード１は、受信アンテナ数が２である（２受信）ことを指示し、直交カバーコード２は、受信アンテナ数が４である（４受信）ことを指示する。
【０１４０】
それに対応し、受信したウェイクアップ信号の系列の直交カバーコードが直交カバーコード１であれば、フィードバック情報によって指示される伝送モードは、受信アンテナ数２（２受信）である。この場合、ユーザ機器は、現在の受信アンテナ数を２受信にセットする。
【０１４１】
本開示の実施例の伝送モード決定方法において、ネットワーク側機器は、伝送モードの変更をユーザ機器が行う必要があると決定すると、目標伝送モードを自発的にユーザ機器に送信し、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【０１４２】
本開示の実施例の具体的な実施手順は、前記実施例の記載を参照し、ここでは繰り返して記載しない。
【０１４３】
上記実施例に係る伝送モード決定方法に対応し、本実施例は、ユーザ機器を提供する。本開示の実施例に係るユーザ機器は、上記実施例における伝送モード決定方法の実施例に記載の各手順を実現することができる。
【０１４４】
図８は、本開示の実施例に係るユーザ機器のモジュール構成図その１である。図８に示すように、該ユーザ機器は、前記ユーザ機器の所望伝送モードを指示するための変更情報をネットワーク側機器に送信する第１送信モジュール８０１を含む。
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【０１４５】
選択可能に、上記ユーザ機器は、
変更情報をネットワーク側機器に送信した後に、前記ネットワーク側機器から送信されたフィードバック情報を受信するフィードバック情報受信モジュールと、
現在の伝送モードを、前記フィードバック情報によって指示される伝送モードにセットする伝送モードセットモジュールと、を更に含む。
【０１４６】
選択可能に、前記フィードバック情報は、前記所望伝送モードに同意するか否かを指示することに用いられ、又は、前記フィードバック情報は、目標伝送モードを指示することに用いられる。
【０１４７】
選択可能に、前記伝送モードセットモジュールは、具体的には、
前記フィードバック情報が前記所望伝送モードに同意すると指示する場合、現在の伝送モードを前記所望伝送モードにセットし、
前記フィードバック情報が前記所望伝送モードに同意しないと指示する場合、現在の伝送モードそのままにし、
前記フィードバック情報が目標伝送モードを指示する場合、現在の伝送モードを前記目標伝送モードにセットする。
【０１４８】
選択可能に、上記ユーザ機器は、変更情報をネットワーク側機器に送信する前に、前記所望伝送モードを伝送モード影響要素に基づいて決定する所望伝送モード送信モジュールを更に含む。
【０１４９】
選択可能に、上記ユーザ機器は、前記フィードバック情報を受信した後に、前記フィードバック情報によって指示される伝送モードに基づいて、チャネル関連パラメータを前記ネットワーク側機器に報告するチャネルパラメータ送信モジュールを更に含む。
ここで、前記チャネル関連パラメータは、パラメータであるチャネル品質指示ＣＱＩ、ランク指示ＲＩ、プリコーディング行列指示ＰＭＩ及びレイヤ指示ＬＩの少なくとも１つを含む。
【０１５０】
選択可能に、上記ユーザ機器は、現在の伝送モードを、前記フィードバック情報によって指示される伝送モードにセットした後に、前記ネットワーク側機器から送信されたスケジューリングシグナリングに対応する伝送モードが、前記フィードバック情報によって指示される伝送モードと異なる場合、前記ネットワーク側機器から送信されたスケジューリングシグナリングを無視する第１判断モジュールを更に含む。
ここで、前記スケジューリングシグナリングは、下りデータをスケーリングするシグナリング又は上りデータをスケーリングするシグナリングを含む。
【０１５１】
選択可能に、前記伝送モード影響要素は、ユーザ機器の余剰電力量、ユーザ機器の発熱指標、上りトラフィックの属性、下りトラフィックの属性の少なくとも１つを含む。
【０１５２】
選択可能に、前記所望伝送モードは、サービングセルに関連付けられ、又は、サービングセルの目標帯域幅部分ＢＷＰに関連付けられる。
【０１５３】
選択可能に、上記ユーザ機器は、ユーザ機器の余剰電力量、ユーザ機器の発熱指標、上りトラフィックの属性、下りトラフィックの属性の少なくとも１つをネットワーク側機器に送信する情報送信モジュールを更に含む。
【０１５４】
選択可能に、前記フィードバック情報は、物理レイヤシグナリング、媒体アクセス制御ＭＡＣシグナリング、無線リソース制御ＲＲＣシグナリング及びウェイクアップ信号ＷＵＳのいずれかによって送信される。
【０１５５】
選択可能に、前記伝送モードセットモジュールは、更に、具体的には、
前記フィードバック情報がウェイクアップ信号によって送信される場合、前記ウェイクアップ信号の関連情報、及び、ウェイクアップ信号の関連情報と伝送モードとの対応関係を含む所定の対応関係に基づいて、前記フィードバック情報によって指示される伝送モードを決定し、
現在の伝送モードを、前記フィードバック情報によって指示される伝送モードにセットする。
【０１５６】
選択可能に、前記ウェイクアップ信号の関連情報は、前記ウェイクアップ信号の系列の直交カバーコード、前記ウェイクアップ信号の系列のサイクリックシフト、前記ウェイクアップ信号の系列のルート系列、前記ウェイクアップ信号の系列のスクランブル系列の少なくとも１つを含む。
【０１５７】
本開示の実施例のユーザ機器は、ユーザ機器の所望伝送モードを指示するための変更情報をネットワーク側機器に送信する。本開示の実施例において、伝送モードの変更を要求する変更情報をユーザ機器からネットワーク側機器に送信することによって、ネットワーク側機器は、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【０１５８】
本開示の実施例に係るユーザ機器は、上記伝送モード決定方法に対応する実施例の各手順を実現することができ、重複を避けるために、ここでは繰り返して記載しない。
【０１５９】
上記別の実施例に係る伝送モード決定方法に対応し、本実施例は、ユーザ機器を提供する。本開示の実施例に係るユーザ機器は、上記別の実施例における伝送モード決定方法の実施例に記載の各手順を実現することができる。
【０１６０】
図９は、本開示の実施例に係るユーザ機器のモジュール構成図その２である。
図９に示すように、該ユーザ機器は、ネットワーク側機器から送信された目標伝送モードを受信する第１受信モジュール９０１と、現在の伝送モードを前記目標伝送モードにセットする伝送モードセットモジュール９０２と、を含む。
【０１６１】
選択可能に、上記ユーザ機器は、前記目標伝送モードに基づいて、チャネル関連パラメータを前記ネットワーク側機器に報告するチャネルパラメータ送信モジュールを更に含む。
ここで、前記チャネル関連パラメータは、パラメータであるチャネル品質指示ＣＱＩ、ランク指示ＲＩ、プリコーディング行列指示ＰＭＩ及びレイヤ指示ＬＩの少なくとも１つを含む。
【０１６２】
選択可能に、上記ユーザ機器は、前記ネットワーク側機器から送信されたスケジューリングシグナリングに対応する伝送モードが、前記目標伝送モードと異なる場合、前記ネットワーク側機器から送信されたスケジューリングシグナリングを無視する第２判断モジュールを更に含む。
ここで、前記スケジューリングシグナリングは、下りデータをスケーリングするシグナリング又は上りデータをスケーリングするシグナリングを含む。
【０１６３】
選択可能に、前記目標伝送モードは、物理レイヤシグナリング、媒体アクセス制御ＭＡＣシグナリング、無線リソース制御ＲＲＣシグナリング及びウェイクアップ信号ＷＵＳのいずれかによって送信される。
【０１６４】
本開示の実施例のユーザ機器は、ネットワーク側機器から自発的にユーザ機器に目標伝送モードを送信する場合、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【０１６５】
本開示の実施例に係るユーザ機器は、上記伝送モード決定方法に対応する実施例の各手順を実現することができ、重複を避けるために、ここでは繰り返して記載しない。
【０１６６】
上記のまた別の実施例に係る伝送モード決定方法に対応し、本実施例は、ネットワーク側機器を提供する。本開示の実施例に係るネットワーク側機器は、上記また別の実施例における伝送モード決定方法の実施例に記載の各手順を実現することができる。
【０１６７】
図１０は、本開示の実施例に係るネットワーク側機器のモジュール構成図その１である。
図１０に示すように、該ネットワーク側機器は、
ユーザ機器から、前記ユーザ機器の所望伝送モードを指示するための変更情報を受信する第２受信モジュール１００１を含む。
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【０１６８】
選択可能に、上記ネットワーク側機器は、
ユーザ機器から変更情報を受信した後に、前記変更情報に基づいてフィードバック情報を決定するフィードバック情報決定モジュールと、
前記フィードバック情報を、前記ユーザ機器が現在の伝送モードを前記フィードバック情報によって指示される伝送モードにセットするように、前記ユーザ機器に送信するフィードバック情報送信モジュールと、を更に含む。
【０１６９】
選択可能に、前記フィードバック情報は、前記所望伝送モードに同意するか否かを指示することに用いられ、又は、前記フィードバック情報は、目標伝送モードを指示することに用いられる。
【０１７０】
選択可能に、前記フィードバック情報決定モジュールは、具体的には、前記変更情報と伝送モード影響要素に基づいて前記フィードバック情報を決定する。
【０１７１】
選択可能に、前記伝送モード影響要素は、ユーザ機器の余剰電力量、ユーザ機器の発熱指標、上りトラフィックの属性、下りトラフィックの属性の少なくとも１つを含む。
【０１７２】
選択可能に、前記所望伝送モードは、サービングセルに関連付けられ、又は、サービングセルの目標帯域幅部分ＢＷＰに関連付けられる。
【０１７３】
選択可能に、上記ネットワーク側機器は、ユーザ機器の余剰電力量、ユーザ機器の発熱指標、上りトラフィックの属性、下りトラフィックの属性の少なくとも１つをユーザ機器から受信する情報受信モジュールを更に含む。
【０１７４】
選択可能に、前記フィードバック情報は、物理レイヤシグナリング、媒体アクセス制御ＭＡＣシグナリング、無線リソース制御ＲＲＣシグナリング及びウェイクアップ信号ＷＵＳのいずれかによって送信される。
【０１７５】
選択可能に、前記フィードバック情報がウェイクアップ信号によって送信される場合、前記ウェイクアップ信号の関連情報と伝送モードとは所定の対応関係を有し、それによって、前記フィードバック情報によって指示される伝送モードを、ユーザ端末が前記ウェイクアップ信号の関連情報と所定の対応関係に基づいて決定する。
【０１７６】
選択可能に、前記ウェイクアップ信号の関連情報は、前記ウェイクアップ信号の系列の直交カバーコード、前記ウェイクアップ信号の系列のサイクリックシフト、前記ウェイクアップ信号の系列のルート系列、前記ウェイクアップ信号の系列のスクランブル系列の少なくとも１つを含む。
【０１７７】
本開示の実施例のネットワーク側機器において、ネットワーク側機器は、伝送モードの変更を要求する変更情報をユーザ機器から受信することによって、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【０１７８】
本開示の実施例に係るネットワーク側機器は、上記伝送モード決定方法に対応する実施例の各手順を実現することができ、重複を避けるために、ここでは繰り返して記載しない。
【０１７９】
上記の更に別の実施例に係る伝送モード決定方法に対応し、本実施例は、ネットワーク側機器を提供する。本開示の実施例に係るネットワーク側機器は、上記の更に別の実施例における伝送モード決定方法の実施例に記載の各手順を実現することができる。
【０１８０】
図１１は、本開示の実施例に係るネットワーク側機器のモジュール構成図その２である。図１１に示すように、該ネットワーク側機器は、ユーザ機器に目標伝送モードを送信することによって、前記ユーザ機器が現在の伝送モードを前記目標伝送モードにセットするようにする第２送信モジュール１１０１を含む。
【０１８１】
選択可能に、上記ネットワーク側機器は、ユーザ機器に目標伝送モードを送信する前に、伝送モード影響要素に基づいて目標伝送モードを決定する目標伝送モード決定モジュールを更に含む。
【０１８２】
選択可能に、前記目標伝送モードは、物理レイヤシグナリング、媒体アクセス制御ＭＡＣシグナリング、無線リソース制御ＲＲＣシグナリング及びウェイクアップ信号ＷＵＳのいずれかによって送信される。
【０１８３】
本開示の実施例のネットワーク側機器は、伝送モードの変更をユーザ機器が行う必要があると決定すると、目標伝送モードを自発的にユーザ機器に送信し、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【０１８４】
本開示の実施例に係るネットワーク側機器は、上記伝送モード決定方法に対応する実施例の各手順を実現することができ、重複を避けるために、ここでは繰り返して記載しない。
【０１８５】
上記実施例に係る伝送モード決定方法に対応し、同じ技術思想に基づき、本実施例は、ユーザ機器を提供する。本開示の実施例に係るユーザ機器は、上記実施例においてユーザ機器によって実現される各手順を実現することができる。
【０１８６】
図１２は、本開示の実施例に係るユーザ機器の構造図である。図１２に示すように、該ユーザ機器１２００は、少なくとも１つのプロセッサ１２０１と、メモリ１２０２と、少なくとも１つのネットワークインタフェース１２０４と、ユーザインタフェース１２０３を含む。ユーザ機器１２００における各構成部品は、バスシステム１２０５を介して結合される。バスシステム１２０５は、これらの構成部品の間の接続と通信に用いられることが理解できる。バスシステム１２０５は、データバスのほかに、電源バス、制御バス及び状態信号バスを更に含む。ただし、明確に説明するために、図１２において、各種類のバスをすべてバスシステム１２０５として標記している。
【０１８７】
ここで、ユーザインタフェース１２０３は、ディスプレイ、キーボード又はポインティングデバイス（たとえばマウス、トラックボール（ｔｒａｃｋ  ｂａｌｌ））、タッチパネル又はタッチスクリーンなどを含む。
【０１８８】
本開示の実施例におけるメモリ１２０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１２０２は、これらに限られず、これら及びこれら以外の任意の適合する種類のメモリを含むとする。
【０１８９】
一部実施例において、メモリ１２０２には、実行可能なモジュール又はデータ構造、又はそれらのサブセット、又は、それらの拡張セットであるオペレーションシステム１２０２１とアプリケーションプログラム１２０２２が記憶されている。
【０１９０】
ここで、オペレーションシステム１２０２１は、フレーム層、コアライブラリ層、駆動層など各種類のシステムプログラムを含み、各種類のベーシックトラフィックの実現及びハードウェアに基づくタスクの処理に用いられる。アプリケーションプログラム１２０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーショントラフィックの実現に用いられる。本開示の実施例における方法を実現するプログラムは、アプリケーションプログラム１２０２２に含まれる。
【０１９１】
本開示の実施例において、ユーザ機器１２００は、メモリ１２０２に格納されてプロセッサ１２０１で動作可能なコンピュータプログラムを更に含み、該コンピュータプログラムがプロセッサ１２０１によって実行されると、前記ユーザ機器の所望伝送モードを指示するための変更情報をネットワーク側機器に送信するステップが実現される。
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【０１９２】
選択可能に、コンピュータプログラムがプロセッサ１２０１によって実行されると、変更情報をネットワーク側機器に送信した後に、前記ネットワーク側機器から送信されたフィードバック情報を受信するステップと、現在の伝送モードを、前記フィードバック情報によって指示される伝送モードにセットするステップも実現される。
【０１９３】
選択可能に、コンピュータプログラムがプロセッサ１２０１によって実行されると、以下のステップも実現される。前記フィードバック情報は、前記所望伝送モードに同意するか否かを指示することに用いられ、又は、前記フィードバック情報は、目標伝送モードを指示することに用いられる。
【０１９４】
選択可能に、コンピュータプログラムがプロセッサ１２０１によって実行されると、以下のステップも実現される。
前記の現在の伝送モードを、前記フィードバック情報によって指示される伝送モードにセットすることは、
前記フィードバック情報が前記所望伝送モードに同意すると指示する場合、現在の伝送モードを前記所望伝送モードにセットすることと、
前記フィードバック情報が前記所望伝送モードに同意しないと指示する場合、現在の伝送モードそのままにすることと、
前記フィードバック情報が目標伝送モードを指示する場合、現在の伝送モードを前記目標伝送モードにセットすることと、を含む。
【０１９５】
選択可能に、コンピュータプログラムがプロセッサ１２０１によって実行されると、以下のステップも実現される。
変更情報をネットワーク側機器に送信する前に、前記所望伝送モードを伝送モード影響要素に基づいて決定することを更に含む。
【０１９６】
選択可能に、コンピュータプログラムがプロセッサ１２０１によって実行されると、以下のステップも実現される。
前記フィードバック情報を受信した後に、前記フィードバック情報によって指示される伝送モードに基づいて、チャネル関連パラメータを前記ネットワーク側機器に報告する。
ここで、前記チャネル関連パラメータは、パラメータであるチャネル品質指示ＣＱＩ、ランク指示ＲＩ、プリコーディング行列指示ＰＭＩ及びレイヤ指示ＬＩの少なくとも１つを含む。
【０１９７】
選択可能に、コンピュータプログラムがプロセッサ１２０１によって実行されると、以下のステップも実現される。
現在の伝送モードを、前記フィードバック情報によって指示される伝送モードにセットした後に、前記ネットワーク側機器から送信されたスケジューリングシグナリングに対応する伝送モードが、前記フィードバック情報によって指示される伝送モードと異なる場合、前記ネットワーク側機器から送信されたスケジューリングシグナリングを無視する。
ここで、前記スケジューリングシグナリングは、下りデータをスケーリングするシグナリング又は上りデータをスケーリングするシグナリングを含む。
【０１９８】
選択可能に、コンピュータプログラムがプロセッサ１２０１によって実行されると、以下のステップも実現される。
前記伝送モード影響要素は、ユーザ機器の余剰電力量、ユーザ機器の発熱指標、上りトラフィックの属性、下りトラフィックの属性の少なくとも１つを含む。
【０１９９】
選択可能に、コンピュータプログラムがプロセッサ１２０１によって実行されると、以下のステップも実現される。
前記所望伝送モードは、サービングセルに関連付けられ、又は、サービングセルの目標帯域幅部分ＢＷＰに関連付けられる。
【０２００】
選択可能に、コンピュータプログラムがプロセッサ１２０１によって実行されると、以下のステップも実現される。
ユーザ機器の余剰電力量、ユーザ機器の発熱指標、上りトラフィックの属性、下りトラフィックの属性の少なくとも１つをネットワーク側機器に送信する。
【０２０１】
選択可能に、コンピュータプログラムがプロセッサ１２０１によって実行されると、以下のステップも実現される。
前記フィードバック情報は、物理レイヤシグナリング、媒体アクセス制御ＭＡＣシグナリング、無線リソース制御ＲＲＣシグナリング及びウェイクアップ信号ＷＵＳのいずれかによって送信される。
【０２０２】
選択可能に、コンピュータプログラムがプロセッサ１２０１によって実行されると、以下のステップも実現される。
前記の現在の伝送モードを、前記フィードバック情報によって指示される伝送モードにセットすることは、
前記フィードバック情報がウェイクアップ信号によって送信される場合、前記ウェイクアップ信号の関連情報、及び、ウェイクアップ信号の関連情報と伝送モードとの対応関係を含む所定の対応関係に基づいて、前記フィードバック情報によって指示される伝送モードを決定することと、
現在の伝送モードを、前記フィードバック情報によって指示される伝送モードにセットすることと、を含む。
【０２０３】
選択可能に、コンピュータプログラムがプロセッサ１２０１によって実行されると、以下のステップも実現される。
前記ウェイクアップ信号の関連情報は、前記ウェイクアップ信号の系列の直交カバーコード、前記ウェイクアップ信号の系列のサイクリックシフト、前記ウェイクアップ信号の系列のルート系列、前記ウェイクアップ信号の系列のスクランブル系列の少なくとも１つを含む。
【０２０４】
本開示の実施例のユーザ機器１２００は、ユーザ機器の所望伝送モードを指示するための変更情報をネットワーク側機器に送信する。本開示の実施例において、伝送モードの変更を要求する変更情報をユーザ機器からネットワーク側機器に送信することによって、ネットワーク側機器は、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【０２０５】
本開示の別の具体的な実施例において、ユーザ機器１２００は、メモリ１２０２に格納されてプロセッサ１２０１で動作可能なコンピュータプログラムを更に含む。
該コンピュータプログラムがプロセッサ１２０１によって実行されると、
ネットワーク側機器から送信された目標伝送モードを受信するステップと、現在の伝送モードを前記目標伝送モードにセットするステップとが実現される。
【０２０６】
選択可能に、コンピュータプログラムがプロセッサ１２０１によって実行されると、以下のステップも実現される。
前記目標伝送モードに基づいて、チャネル関連パラメータを前記ネットワーク側機器に報告する。
ここで、前記チャネル関連パラメータは、パラメータであるチャネル品質指示ＣＱＩ、ランク指示ＲＩ、プリコーディング行列指示ＰＭＩ及びレイヤ指示ＬＩの少なくとも１つを含む。
【０２０７】
選択可能に、コンピュータプログラムがプロセッサ１２０１によって実行されると、以下のステップも実現される。
前記ネットワーク側機器から送信されたスケジューリングシグナリングに対応する伝送モードが前記目標伝送モードと異なる場合、前記ネットワーク側機器から送信されたスケジューリングシグナリングを無視する。
ここで、前記スケジューリングシグナリングは、下りデータをスケーリングするシグナリング又は上りデータをスケーリングするシグナリングを含む。
【０２０８】
選択可能に、コンピュータプログラムがプロセッサ１２０１によって実行されると、以下のステップも実現される。
前記目標伝送モードは、物理レイヤシグナリング、媒体アクセス制御ＭＡＣシグナリング、無線リソース制御ＲＲＣシグナリング及びウェイクアップ信号ＷＵＳのいずれかによって送信される。
【０２０９】
本開示の実施例のユーザ機器１２００は、ネットワーク側機器から自発的にユーザ機器に目標伝送モードを送信する場合、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【０２１０】
上記の本開示の実施例に開示される方法は、プロセッサ１２０１に応用可能であり、又はプロセッサ１２０１によって実現される。プロセッサ１２０１は、信号処理能力を有するＩＣチップである。実現プロセスにおいて、上記方法の各ステップは、プロセッサ１２０１におけるハードウェアの集積論理回路又はソフトウェア形式の指令によって遂行される。上記プロセッサ１２０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知の記憶媒体に位置する。当該記憶媒体は、メモリ１２０２に位置する。プロセッサ１２０１は、メモリ１２０２における情報を読み取って、そのハードウェアと組み合わせて上記方法のステップを遂行する。具体的には、該コンピュータ読み取り可能な記憶媒体にはコンピュータプログラムが格納されており、コンピュータプログラムがプロセッサ１２０１によって実行されると、上記実施例の各ステップが実現される。
【０２１１】
なお、本開示の実施例に係るユーザ機器１２００は、前記実施例においてユーザ機器によって実現される各手順を実現することができ、重複を避けるために、ここでは繰り返して記載しない。
【０２１２】
上記実施例に係る伝送モード決定方法に対応し、本実施例は、ネットワーク側機器を提供する。本開示の実施例に係るネットワーク側機器は、上記実施例においてネットワーク側機器によって実現される各手順を実現することができる。
【０２１３】
図１３を参照する。図１３は、本開示の実施例に応用されるネットワーク側機器の構造図であり、実施例３〜４における伝送モード決定方法を実現することができ、同じ効果を奏することもできる。図１３に示すように、ネットワーク側機器１３００は、プロセッサ１３０１と、トランシーバ１３０２と、メモリ１３０３と、ユーザインタフェース１３０４と、バスインタフェースを含む。
ここで、本開示の１つの具体的な実施例において、ネットワーク側機器１３００は、メモリ１３０３に格納されてプロセッサ１３０１で動作可能なコンピュータプログラムを更に含み、コンピュータプログラムがプロセッサ１３０１によって実行されると、ユーザ機器から、前記ユーザ機器の所望伝送モードを指示するための変更情報を受信するステップが実現される。
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む。
【０２１４】
選択可能に、メモリ１３０３に格納されているコンピュータプログラムがプロセッサ１３０１によって実行されると、
ユーザ機器から変更情報を受信した後に、前記変更情報に基づいてフィードバック情報を決定するステップと、前記フィードバック情報を、前記ユーザ機器が現在の伝送モードを前記フィードバック情報によって指示される伝送モードにセットするように、前記ユーザ機器に送信するステップも実現される。
【０２１５】
選択可能に、メモリ１３０３に格納されているコンピュータプログラムがプロセッサ１３０１によって実行されると、以下のステップも実現される。
前記フィードバック情報は、前記所望伝送モードに同意するか否かを指示することに用いられ、又は、前記フィードバック情報は、目標伝送モードを指示することに用いられる。
【０２１６】
選択可能に、メモリ１３０３に格納されているコンピュータプログラムがプロセッサ１３０１によって実行されると、以下のステップも実現される。
前記の前記変更情報に基づいてフィードバック情報を決定することは、前記変更情報と伝送モード影響要素に基づいて前記フィードバック情報を決定することを含む。
【０２１７】
選択可能に、メモリ１３０３に格納されているコンピュータプログラムがプロセッサ１３０１によって実行されると、以下のステップも実現される。
前記伝送モード影響要素は、ユーザ機器の余剰電力量、ユーザ機器の発熱指標、上りトラフィックの属性、下りトラフィックの属性の少なくとも１つを含む。
【０２１８】
選択可能に、メモリ１３０３に格納されているコンピュータプログラムがプロセッサ１３０１によって実行されると、以下のステップも実現される。
前記所望伝送モードは、サービングセルに関連付けられ、又は、サービングセルの目標帯域幅部分ＢＷＰに関連付けられる。
【０２１９】
選択可能に、メモリ１３０３に格納されているコンピュータプログラムがプロセッサ１３０１によって実行されると、以下のステップも実現される。
ユーザ機器の余剰電力量、ユーザ機器の発熱指標、上りトラフィックの属性、下りトラフィックの属性の少なくとも１つをユーザ機器から受信する。
【０２２０】
選択可能に、メモリ１３０３に格納されているコンピュータプログラムがプロセッサ１３０１によって実行されると、以下のステップも実現される。
前記フィードバック情報は、物理レイヤシグナリング、媒体アクセス制御ＭＡＣシグナリング、無線リソース制御ＲＲＣシグナリング及びウェイクアップ信号ＷＵＳのいずれかによって送信される。
【０２２１】
選択可能に、メモリ１３０３に格納されているコンピュータプログラムがプロセッサ１３０１によって実行されると、以下のステップも実現される。
前記フィードバック情報がウェイクアップ信号によって送信される場合、前記ウェイクアップ信号の関連情報と伝送モードとは所定の対応関係を有し、それによって、前記フィードバック情報によって指示される伝送モードを、ユーザ端末が前記ウェイクアップ信号の関連情報と所定の対応関係に基づいて決定する。
【０２２２】
選択可能に、メモリ１３０３に格納されているコンピュータプログラムがプロセッサ１３０１によって実行されると、以下のステップも実現される。
前記ウェイクアップ信号の関連情報は、前記ウェイクアップ信号の系列の直交カバーコード、前記ウェイクアップ信号の系列のサイクリックシフト、前記ウェイクアップ信号の系列のルート系列、前記ウェイクアップ信号の系列のスクランブル系列の少なくとも１つを含む。
【０２２３】
本開示の実施例のネットワーク側機器において、ネットワーク側機器は、伝送モードの変更を要求する変更情報をユーザ機器から受信することによって、該変更情報に基づいて、ユーザ機器が現在実行可能な伝送モードを決定する。このように、ユーザ機器の伝送モードを精確に変更することができ、ユーザ機器が無駄な電気を消費することを減少して省エネ・節電の効果を達成するとともに、システムのデータ伝送性能を保証する。
【０２２４】
本開示の別の具体的な実施例において、ネットワーク側機器１３００は、メモリ１３０３に格納されてプロセッサ１３０１で動作可能なコンピュータプログラムを更に含む。
コンピュータプログラムがプロセッサ１３０１によって実行されると、ユーザ機器に目標伝送モードを送信することによって、前記ユーザ機器が現在の伝送モードを前記目標伝送モードにセットするようにするステップが実現される。
【０２２５】
選択可能に、メモリ１３０３に格納されているコンピュータプログラムがプロセッサ１３０１によって実行されると、以下のステップも実現される。
ユーザ機器に目標伝送モードを送信する前に、伝送モード影響要素に基づいて目標伝送モードを決定する。
【０２２６】
選択可能に、メモリ１３０３に格納されているコンピュータプログラムがプロセッサ１３０１によって実行されると、以下のステップも実現される。
前記目標伝送モードは、物理レイヤシグナリング、媒体アクセス制御ＭＡＣシグナリング、無線リソース制御ＲＲＣシグナリング及びウェイクアップ信号ＷＵＳのいずれかによって送信される。
【０２２７】
本開示の実施例のネットワーク側機器において、ネットワーク側機器は、伝送モードの変更をユーザ機器が行う必要があると決定すると、目標伝送モードを自発的にユーザ機器に送信し、ユーザ機器は、現在の伝送モードを該目標伝送モードにセットする。このように、ユーザ機器の伝送モードを精確に変更することができ、ユーザ機器が無駄な電気を消費することを減少して省エネ・節電の効果を達成するとともに、システムのデータ伝送性能を保証する。
【０２２８】
図１３において、バスアーキテクチャは、任意数の相互接続するバスとブリッジを含み、具体的には、プロセッサ１３０１をはじめとする１つ又は複数のプロセッサとメモリ１３０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１３０２は、複数の部品であってもよく、即ち送信機と受信機を含み、伝送媒体でほかの各種類の装置と通信するユニットとして提供される。ユーザ端末によっては、ユーザインタフェース１３０４は、内部接続や外部接続する機器のインタフェースであってもよい。接続する機器は、キーパッド、ディスプレイ、スピーカ、マイクロフォン、ジョイスティックなどを含むが、それらに限られない。
【０２２９】
プロセッサ１３０１は、バスアーキテクチャと通常の処理を管理する。メモリ１３０３は、プロセッサ１３０１による操作実行に使用されるデータを記憶できる。
【０２３０】
ネットワーク側機器１３００は、前記実施例においてネットワーク側機器によって実現される各手順を実現することができ、同じ技術効果を奏することもできるので、重複を避けるために、ここでは繰り返して記載しない。
【０２３１】
上記実施例に係る伝送モード決定方法に対応し、本開示の実施例は、コンピュータプログラムが格納されているコンピュータ読み取り可能な記憶媒体を更に提供する。当該コンピュータプログラムがプロセッサによって実行されると、上記実施例における伝送モード決定方法の実施例の各手順が実現され、且つ同じ技術効果を奏することもでき、又は、該コンピュータプログラムがプロセッサによって実行されると、上記実施例における伝送モード決定方法の実施例の各手順が実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０２３２】
本開示の実施例が、方法、システム、又はコンピュータプログラムプロダクトとして提供できることは、当業者には理解可能である。従って、本開示は、完全なハードウェア実施例、完全なソフトウェア実施例、又はソフトウェアとハードウェアを組み合わせた実施例の形態を採用できる。更に、本開示は、コンピュータ使用可能プログラムコードを含む１つ又は複数のコンピュータ使用可能記憶媒体（磁気ディスクメモリ、ＣＤ−ＲＯＭ、光学メモリなどを含むが、それに限られない）で実施されるコンピュータプログラムプロダクトの形態を採用できる。
【０２３３】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されると理解されるべきである。これらのコンピュータプログラムコマンドを汎用コンピュータ、専用コンピュータ、嵌め込み式プロセッサ又は他のプログラマブルデータ処理デバイスのプロセッサに提供して１つのマシンを形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０２３４】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０２３５】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０２３６】
典型的な設定において、コンピュータ機器は、１つ又は複数のプロセッサ（ＣＰＵ）、入力／出力インタフェース、ネットワークインタフェース及び内部記憶装置を含む。
【０２３７】
内部記憶装置は、コンピュータ読み取り可能な媒体のうちの非永久的メモリ、ＲＡＭ、及び／又は、ＲＯＭやフラッシュメモリ（ｆｌａｓｈ  ＲＡＭ）などの非揮発性内部記憶装置などの形態を含む。内部記憶装置は、コンピュータ読み取り可能な媒体の例である。
【０２３８】
コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュール又はほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体又はほかの内部記憶技術、ＣＤ−ＲＯＭ、ＤＶＤ又はほかの光学的記憶媒体、磁気カセット式磁気テープ、磁気ディスク又はほかの磁気記憶デバイス又はほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０２３９】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０２４０】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０２４１】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０２４２】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０２４３】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなく、様々な変更や変形を有する。本開示の趣旨や原理内で行ったあらゆる修正、均等置換、改良などは、全て本開示の特許請求の範囲に含まれるべきである。
【図１】
2021519023.tif 000003
【図２】
2021519023.tif 000004
【図３】
2021519023.tif 000005
【図４】
2021519023.tif 000006
【図５】
2021519023.tif 000007
【図６】
2021519023.tif 000008
【図７】
2021519023.tif 000009
【図８】
2021519023.tif 000010
【図９】
2021519023.tif 000011
【図１０】
2021519023.tif 000012
【図１１】
2021519023.tif 000013
【図１２】
2021519023.tif 000014
【図１３】
2021519023.tif 000015
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
ユーザ機器に応用される伝送モード決定方法において、
前記ユーザ機器の所望伝送モードを指示するための変更情報をネットワーク側機器に送信することを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、伝送モード決定方法。
【請求項２】
変更情報をネットワーク側機器に送信した後に、
前記ネットワーク側機器から送信されたフィードバック情報を受信することと、
現在の伝送モードを、前記フィードバック情報によって指示される伝送モードにセットすることと、
を更に含み、
前記フィードバック情報は、前記所望伝送モードに同意するか否かを指示することに用いられ、又は、
前記フィードバック情報は、目標伝送モードを指示することに用いられる、請求項１に記載の方法。
【請求項３】
前記の現在の伝送モードを、前記フィードバック情報によって指示される伝送モードにセットすることは、
前記フィードバック情報が前記所望伝送モードに同意すると指示する場合、現在の伝送モードを前記所望伝送モードにセットすることと、
前記フィードバック情報が前記所望伝送モードに同意しないと指示する場合、現在の伝送モードそのままにすることと、
前記フィードバック情報が目標伝送モードを指示する場合、現在の伝送モードを前記目標伝送モードにセットすることと、
を含む、請求項２に記載の方法。
【請求項４】
変更情報をネットワーク側機器に送信する前に、
前記所望伝送モードを伝送モード影響要素に基づいて決定することを更に含み、
前記伝送モード影響要素は、ユーザ機器の余剰電力量、ユーザ機器の発熱指標、上りトラフィックの属性、下りトラフィックの属性の少なくとも１つを含む、請求項１に記載の方法。
【請求項５】
前記フィードバック情報を受信した後に、前記フィードバック情報によって指示される伝送モードに基づいて、チャネル関連パラメータを前記ネットワーク側機器に報告することを更に含み、
ここで、前記チャネル関連パラメータは、パラメータであるチャネル品質指示ＣＱＩ、ランク指示ＲＩ、プリコーディング行列指示ＰＭＩ、及びレイヤ指示ＬＩの少なくとも１つを含む、請求項２に記載の方法。
【請求項６】
現在の伝送モードを、前記フィードバック情報によって指示される伝送モードにセットした後に、
前記ネットワーク側機器から送信されたスケジューリングシグナリングに対応する伝送モードが、前記フィードバック情報によって指示される伝送モードと異なる場合、前記ネットワーク側機器から送信されたスケジューリングシグナリングを無視することを更に含み、
ここで、前記スケジューリングシグナリングは、下りデータをスケーリングするシグナリング又は上りデータをスケーリングするシグナリングを含む、請求項２に記載の方法。
【請求項７】
前記所望伝送モードは、サービングセルに関連付けられ、又は、サービングセルの目標帯域幅部分ＢＷＰに関連付けられる、請求項１〜６のいずれか一項に記載の方法。
【請求項８】
ユーザ機器の余剰電力量、ユーザ機器の発熱指標、上りトラフィックの属性、下りトラフィックの属性の少なくとも１つをネットワーク側機器に送信することを更に含む、請求項１に記載の方法。
【請求項９】
前記フィードバック情報は、物理レイヤシグナリング、媒体アクセス制御ＭＡＣシグナリング、無線リソース制御ＲＲＣシグナリング、及びウェイクアップ信号ＷＵＳのいずれかによって送信される、請求項２に記載の方法。
【請求項１０】
前記の現在の伝送モードを、前記フィードバック情報によって指示される伝送モードにセットすることは、
前記フィードバック情報がウェイクアップ信号によって送信される場合、前記ウェイクアップ信号の関連情報、及び、ウェイクアップ信号の関連情報と伝送モードとの対応関係を含む所定の対応関係に基づいて、前記フィードバック情報によって指示される伝送モードを決定することと、
現在の伝送モードを、前記フィードバック情報によって指示される伝送モードにセットすることと、
を含み、
前記ウェイクアップ信号の関連情報は、前記ウェイクアップ信号の系列の直交カバーコード、前記ウェイクアップ信号の系列のサイクリックシフト、前記ウェイクアップ信号の系列のルート系列、前記ウェイクアップ信号の系列のスクランブル系列の少なくとも１つを含む、請求項９に記載の方法。
【請求項１１】
ネットワーク側機器に応用される伝送モード決定方法において、
ユーザ機器から、前記ユーザ機器の所望伝送モードを指示するための変更情報を受信することを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、伝送モード決定方法。
【請求項１２】
ユーザ機器から変更情報を受信した後に、
前記変更情報に基づいてフィードバック情報を決定することと、
前記フィードバック情報を、前記ユーザ機器が現在の伝送モードを前記フィードバック情報によって指示される伝送モードにセットするように、前記ユーザ機器に送信することとを更に含み、
前記フィードバック情報は、前記所望伝送モードに同意するか否かを指示することに用いられ、又は、
前記フィードバック情報は、目標伝送モードを指示することに用いられ、
前記の前記変更情報に基づいてフィードバック情報を決定することは、
前記変更情報と伝送モード影響要素に基づいて前記フィードバック情報を決定することを含み、
前記伝送モード影響要素は、ユーザ機器の余剰電力量、ユーザ機器の発熱指標、上りトラフィックの属性、下りトラフィックの属性の少なくとも１つを含む、請求項１１に記載の方法。
【請求項１３】
前記所望伝送モードは、サービングセルに関連付けられ、又は、サービングセルの目標帯域幅部分ＢＷＰに関連付けられる、請求項１２に記載の方法。
【請求項１４】
ユーザ機器であって、
前記ユーザ機器の所望伝送モードを指示するための変更情報をネットワーク側機器に送信する第１送信モジュールを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、ユーザ機器。
【請求項１５】
ネットワーク側機器であって、
ユーザ機器から、前記ユーザ機器の所望伝送モードを指示するための変更情報を受信する第２受信モジュールを含み、
ここで、前記所望伝送モードは、パラメータである受信アンテナ数、送信アンテナ数、受信アンテナポート数、送信アンテナポート数、受信チャネル数、送信チャネル数、最大下りレイヤ数、及び最大上りレイヤ数の少なくとも１つ及びその値を含む、ネットワーク側機器。
【国際調査報告】
2021519023.tif 000016
2021519023.tif 000017
2021519023.tif 000018
2021519023.tif 000019